(57)【要約】  収集充電分配装置のネットワークが、携帯型電気エネルギー貯蔵装置（例えば、バッテリ、スーパーキャパシタ又はウルトラキャパシタ）を収集、充電、分配する。充電するために、装置は、取り付け場所の送電網や電気設備などの外部供給源からの電流を使用する。個別の収集充電分配装置の需要が、他の収集充電分配装置に対して増減するときに、分配管理システムは、ある収集充電分配装置から別の収集充電分配装置への携帯型電気エネルギー貯蔵装置の再分配を迅速に開始する。また、再分配を達成するネットワーク内の特定の収集充電分配装置においてその携帯型電気エネルギー貯蔵装置を返却又は交換するためにユーザに交換可能なインセンティブが提供される。
2014527689.tif 000002
【特許請求の範囲】
【請求項１】
携帯型電気エネルギー貯蔵装置の分配システムを動作させる方法であって、
前記携帯型電気エネルギー貯蔵装置用の少なくとも１つの構成された分配管理システムによって、携帯型電気エネルギー貯蔵装置を収集、充電、分配するために複数の収集充電分配装置で行われる携帯型電気エネルギー貯蔵装置に関する情報を受け取る工程と、
前記少なくとも１つの構成された分配管理システムによって、前記携帯型電気エネルギー貯蔵装置交換に関する情報を分析して、前記複数の収集充電分配装置間の携帯型電気エネルギー貯蔵装置の再分配を決定する工程と、
前記少なくとも１つの構成された分配管理システムによって、前記複数の収集充電分配装置の間の再分配を開始する情報を送る工程とを含む方法。
【請求項２】
前記携帯型電気エネルギー貯蔵装置交換に関する情報は、前記複数の収集充電分配装置の第１の装置が、前記複数の収集充電分配装置の第２の装置より少ない充電済み携帯型電気エネルギー貯蔵装置の在庫を有し、前記再分配を開始する情報が、前記複数の収集充電分配装置の第２の装置から前記複数の収集充電分配装置の第１の装置への１つ以上の携帯型電気エネルギー貯蔵装置の再分配を開始する情報を含む、請求項１に記載の方法。
【請求項３】
前記情報を送る工程が、メッセージを送る工程を含み、前記メッセージが、前記決定された再分配にしたがって携帯型電気エネルギー貯蔵装置を返却させるために前記収集充電分配装置のうちの特定の１つ以上を識別する情報を含む、請求項１に記載の方法。
【請求項４】
前記メッセージが、前記特定の１つ以上の収集充電分配装置に前記携帯型電気エネルギー貯蔵装置を返却させるためのユーザへの交換可能なインセンティブを含み、前記交換可能なインセンティブが、前記特定の１つ以上の収集充電分配装置に前記携帯型電気エネルギー貯蔵装置を返却した際に前記ユーザにアップグレードされたか高価値の携帯型電気エネルギー貯蔵装置を提供するクレジットである、請求項３に記載の方法。
【請求項５】
情報を送る工程が、充電済み携帯型電気エネルギー貯蔵装置の余剰を有する１つ以上の収集充電分配装置から、充電済み携帯型電気エネルギー貯蔵装置の不足を有する１つ以上の他の特定の収集充電分配装置に１つ以上の携帯型電気エネルギー貯蔵装置を再分配する命令を含むメッセージを送らせる工程を含む、請求項１に記載の方法。
【請求項６】
前記１つ以上の携帯型電気エネルギー貯蔵装置を、前記充電済み携帯型電気エネルギー貯蔵装置の余剰を有する前記１つ以上の収集充電分配装置から、前記充電済み携帯型電気エネルギー貯蔵装置の不足を有する前記１つ以上の他の特定の収集充電分配装置に再分配する工程を更に含む、請求項５に記載の方法。
【請求項７】
前記再分配する工程が、前記充電済み携帯型電気エネルギー貯蔵装置の余剰を有する前記１つ以上の収集充電分配装置から、前記充電済み携帯型電気エネルギー貯蔵装置の不足を有する前記１つ以上の他の特定の収集充電分配装置に１つ以上の携帯型電気エネルギー貯蔵装置を物理的に移動させる工程を含む、請求項６に記載の方法。
【請求項８】
前記物理的に移動させる工程が、１つ以上の運搬車両によって行なわれる、請求項７に記載の方法。
【請求項９】
前記少なくとも１つの構成された分配管理システムによって、前記携帯型電気エネルギー貯蔵装置交換に関する情報の分析に基づいて、１つ以上の新しい収集充電分配装置の取り付けと、前記複数の収集充電分配装置のうちの１つ以上の既存の収集充電分配装置の取り外しの少なくとも一方を開始する情報を送る工程を更に含む、請求項１に記載の方法。
【請求項１０】
携帯型電気エネルギー貯蔵装置のための分配管理システムであって、
前記分配システムの少なくとも１つのプロセッサと、
前記少なくとも１つのプロセッサよって実行可能な命令を記憶する前記分配システムの少なくとも１つのプロセッサ可読メモリと、を含み、前記プロセッサ可読メモリは前記少なくとも１つのプロセッサに、
携帯型電気エネルギー貯蔵装置のための複数の収集充電分配装置にある需要であって、充電済み携帯型電気エネルギー貯蔵装置の需要に関する情報を受け取らせ、
少なくとも前記需要に関する受信情報にしたがって前記複数の収集充電分配装置間の携帯型電気エネルギー貯蔵装置の再分配を決定させ、
前記複数の収集充電分配装置間の前記再分配を開始する情報を送らせる、分配管理システム。
【請求項１１】
前記需要に関する情報が、異なる時刻、週又は年の間の充電済み携帯型電気エネルギー貯蔵装置の相対的需要に関する情報を含む、請求項１０に記載の分配管理システム。
【請求項１２】
前記需要に関する情報が、地理的位置の間の充電済み携帯型電気エネルギー貯蔵装置の相対的需要に関する情報を含む、請求項１０に記載の分配管理システム。
【請求項１３】
前記需要に関する情報が、前記複数の収集充電分配装置のうちの１つ以上の装置の履歴使用パターンに関する情報を含む、請求項１０に記載の分配管理システム。
【請求項１４】
前記需要に関する情報が、ユーザ車両位置に関する情報を含む、請求項１０に記載の分配管理システム。
【請求項１５】
前記需要に関する情報が、携帯型電気エネルギー貯蔵装置の充電容量に関する情報を含む、請求項１０に記載の分配管理システム。
【請求項１６】
前記需要に関する情報が、前記複数の収集充電分配装置の間で行われる携帯型電気エネルギー貯蔵装置の交換に関する情報を含む、請求項１０に記載の分配管理システム。
【請求項１７】
前記需要に関する情報が、１つ以上の前記充電済み携帯型電気エネルギー貯蔵装置のユーザの経路情報に関する情報を含む、請求項１０に記載の分配管理システム。
【請求項１８】
前記少なくとも１つのプロセッサに再分配を決定させるために前記少なくとも１つのプロセッサによって実行可能な命令が、更に、少なくとも前記第２の数の携帯型電気エネルギー貯蔵装置から供給されたエネルギーによって前記収集充電分配装置に現在取り外し可能に配置されている少なくとも第２の数の携帯型電気エネルギーに対して急速充電される前記複数の収集充電分配装置の収集充電分配装置に現在取り外し可能に配置されている第１の数の携帯型電気エネルギー貯蔵装置にしたがって、前記少なくとも１つのプロセッサに再分配を決定させる命令を含む、請求項１０に記載の分配管理システム。
【請求項１９】
前記少なくとも１つのプロセッサに再分配を決定させるために前記少なくとも１つのプロセッサによって実行可能な命令が、前記需要に関する情報を分析して、前記複数の収集充電分配装置のうちの前記特定の収集充電分配装置における充電済み携帯型電気エネルギー貯蔵装置の現在需要又は予測需要に応えるために、前記複数の収集充電分配装置のうちの特定の収集充電分配装置における充電済み携帯型電気エネルギー貯蔵装置の使用可能性を高めることによって、前記少なくとも１つのプロセッサに再分配を決定させる、請求項１０に記載の分配管理システム。
【請求項２０】
前記少なくとも１つのプロセッサによって実行可能な前記命令が、メッセージを送ることによって前記少なくとも１つのプロセッサに前記再分配を開始する情報を送らせてもよく、前記メッセージが、前記決定された再分配にしたがって携帯型電気エネルギー貯蔵装置を返却するために前記収集充電分配装置のうちの特定の１つ以上を識別する情報を含む、請求項１０に記載の分配管理システム。
【請求項２１】
前記情報が、前記複数の収集充電分配装置のうちの１つ以上の収集充電分配装置に送られる、請求項１０に記載の分配管理システム。
【請求項２２】
前記少なくとも１つのプロセッサによって実行可能な命令が、前記少なくとも１つのプロセッサに１つ以上の携帯型電気エネルギー貯蔵装置の１人以上のユーザに情報を送らせ、前記１つ以上の携帯型電気エネルギー貯蔵装置が、前記複数の収集充電分配装置の前記収集充電分配装置のうちの１つ以上の装置からのものである、請求項１０に記載の分配管理システム
【請求項２３】
前記少なくとも１つのプロセッサによって実行可能な命令が、前記少なくとも１つのプロセッサに前記情報を１つ以上の携帯型電気エネルギー貯蔵装置転送サービスに送らせる、請求項１０に記載の分配管理システム。
【請求項２４】
携帯型電気エネルギー貯蔵装置のための前記複数の収集充電分配装置の携帯型電気エネルギー貯蔵装置の収集充電分配装置によって実行されたときに、前記収集充電分配装置に、
前記収集充電分配装置で行われる携帯型電気エネルギー貯蔵装置の交換に関する情報を送る工程と、
前記複数の収集充電分配装置のうちの前記収集充電分配装置と、１つ以上の他の収集充電分配装置との間で携帯型電気エネルギー貯蔵装置再分配に関する情報を受け取る工程と、
前記収集充電分配装置で携帯型電気エネルギー貯蔵装置を交換する要求をユーザから受け取る工程と、
前記要求に応えて、携帯型電気エネルギー貯蔵装置の再分配に関する前記受信情報に基づいて前記携帯型電気エネルギー貯蔵装置を交換する工程とを実行させる命令を記憶する非一時的コンピュータ可読媒体。
【請求項２５】
携帯型電気エネルギー貯蔵装置の交換に関する情報を送信する工程が、中央携帯型電気エネルギー貯蔵装置分配管理システムに情報を送る工程を含む、請求項２４に記載の非一時的コンピュータ可読媒体。
【請求項２６】
前記要求に応じて前記携帯型電気エネルギー貯蔵装置を交換する前記工程が、前記携帯型電気エネルギー貯蔵装置の再分配に関する受信情報にしたがって、前記複数の収集充電分配装置のうちの１つ以上の他の特定の収集充電分配装置において前記携帯型電気エネルギー貯蔵装置の交換に関するメッセージをユーザに提示する工程を含む、請求項２４に記載の非一時的コンピュータ可読媒体。
【請求項２７】
前記メッセージが、前記携帯型電気エネルギー貯蔵装置を前記１つ以上の他の特定の収集充電分配装置に返却させるための前記ユーザへの交換可能なインセンティブを含む、請求項２６に記載の非一時的コンピュータ可読媒体。
【請求項２８】
前記インセンティブは、前記複数の収集充電分配装置の使用と関連した料金の割引又はクレジットとして交換可能である、請求項２７に記載の非一時的コンピュータ可読媒体。
【請求項２９】
前記携帯型電気エネルギー貯蔵装置交換に関する情報を送る工程が、異なる時刻、週又は年の間の収集充電分配装置における充電済み携帯型電気エネルギー貯蔵装置の相対的需要に関する情報を送る工程を含む、請求項２４に記載の非一時的コンピュータ可読媒体。
【請求項３０】
前記携帯型電気エネルギー貯蔵装置交換に関する情報を送る工程が、前記収集充電分配装置における履歴使用パターンに関する情報を送る工程を含む、請求項２４に記載の非一時的コンピュータ可読媒体。
【請求項３１】
前記携帯型電気エネルギー貯蔵装置交換に関する情報を送る工程が、前記収集充電分配装置のユーザに関する情報を送る工程を含む、請求項２４に記載の非一時的コンピュータ可読媒体。
【発明の詳細な説明】
【技術分野】
【０００１】
関連出願の相互参照
本出願は、３５Ｕ．Ｓ．Ｃ．１１９（ｅ）の下で、「ＡＰＰＡＲＡＴＵＳ，ＭＥＴＨＯＤ  ＡＮＤ  ＡＲＴＩＣＬＥ  ＦＯＲ  ＣＯＬＬＥＣＴＩＯＮ、ＣＨＡＲＧＩＮＧ  ＡＮＤ  ＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ」と題し２０１１年７月２６日に出願された米国仮特許出願第６１／５１１，９００号（代理人整理番号１７０１７８．４０１Ｐ１）、「ＡＰＰＡＲＡＴＵＳ，ＭＥＴＨＯＤ  ＡＮＤ  ＡＲＴＩＣＬＥ  ＦＯＲ  ＣＯＬＬＥＣＴＩＯＮ，ＣＨＡＲＧＩＮＧ  ＡＮＤ  ＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ」と題し２０１２年５月１６日に出願された米国仮特許出願第６１／６４７，９３６号（代理人整理番号１７０１７８．４０１Ｐ２）、「ＡＰＰＡＲＡＴＵＳ，ＭＥＴＨＯＤ  ＡＮＤ  ＡＲＴＩＣＬＥ  ＦＯＲ  ＲＥＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ，ＢＥＴＷＥＥＮ  ＣＯＬＬＥＣＴＩＯＮ，ＣＨＡＲＧＩＮＧ  ＡＮＤ  ＤＩＳＴＲＩＢＵＴＩＯＮ  ＭＡＣＨＩＮＥＳ」と題し２０１１年９月１４日に出願された米国仮特許出願第６１／５３４，７５３３５号（代理人整理番号１７０１７８．４０２）、「ＡＰＰＡＲＡＴＵＳ，ＭＥＴＨＯＤ  ＡＮＤ  ＡＲＴＩＣＬＥ  ＦＯＲ  ＡＵＴＨＥＮＴＩＣＡＴＩＯＮ，ＳＥＣＵＲＩＴＹ  ＡＮＤ  ＣＯＮＴＲＯＬ  ＯＦ  ＰＯＷＥＲ  ＳＴＯＲＡＧＥ  ＤＥＶＩＣＥＳ  ＳＵＣＨ，ＡＳ  ＢＡＴＴＥＲＩＥＳ」と題し２０１１年９月１４日に出願された米国仮特許出願第６１／５３４，７６１号（代理人整理番号１７０１７８．４０３Ｐ１）、「ＡＰＰＡＲＡＴＵＳ，ＭＥＴＨＯＤ  ＡＮＤ  ＡＲＴＩＣＬＥ  ＦＯＲ  ＡＵＴＨＥＮＴＩＣＡＴＩＯＮ，ＳＥＣＵＲＩＴＹ  ＡＮＤ  ＣＯＮＴＲＯＬ  ＯＦ  ＰＯＷＥＲ  ＳＴＯＲＡＧＥ  ＤＥＶＩＣＥＳ，ＳＵＣＨ  ＡＳ  ＢＡＴＴＥＲＩＥＳ，ＢＡＳＥＤ  ＯＮ  ＵＳＥＲ  ＰＲＯＦＩＬＥＳ」と題し２０１１年９月１４日に出願された米国仮特許出願第６１／５３４，７７２号（代理人整理番号１７０１７８．４０４Ｐ１）、「ＴＨＥＲＭＡＬ  ＭＡＮＡＧＥＭＥＮＴ  ＯＦ  ＣＯＭＰＯＮＥＮＴＳ  ＩＮ  ＥＬＥＣＴＲＩＣ  ＭＯＴＯＲ  ＤＲＩＶＥ  ＶＥＨＩＣＬＥＳ」と題し２０１１年７月２６日に出願された米国仮特許出願第６１／５１１，８８７号（代理人整理番号１７０１７８．４０６Ｐ１）、「ＴＨＥＲＭＡＬ  ＭＡＮＡＧＥＭＥＮＴ  ＯＦ  ＣＯＭＰＯＮＥＮＴＳ  ＩＮ  ＥＬＥＣＴＲＩＣ  ＭＯＴＯＲ  ＤＲＩＶＥ  ＶＥＨＩＣＬＥＳ」と題し２０１２年５月１６日に出願された米国仮特許出願第６１／６４７，９４１号（代理人整理番号１７０１７８．４０６Ｐ２）、「ＤＹＮＡＭＩＣＡＬＬＹ  ＬＩＭＩＴＩＮＧ  ＶＥＨＩＣＬＥ  ＯＰＥＲＡＴＩＯＮ  ＦＯＲ  ＢＥＳＴ  ＥＦＦＯＲＴ  ＥＣＯＮＯＭＹ」と題し２０１１年７月２６日に出願された米国仮特許出願第６１／５１１，８８０号（代理人整理番号１７０１７８．４０７Ｐ１）、「ＡＰＰＡＲＡＴＵＳ，ＭＥＴＨＯＤ，ＡＮＤ  ＡＲＴＩＣＬＥ  ＦＯＲ  ＰＨＹＳＩＣＡＬ  ＳＥＣＵＲＩＴＹ  ＯＦ  ＰＯＷＥＲ  ＳＴＯＲＡＧＥ，ＤＥＶＩＣＥＳ  ＩＮ  Ｖ���ＨＩＣＬＥＳ」と題し２０１１年１１月８日に出願された米国仮特許出願第６１／５５７，１７０号（代理人整理番号１７０１７８．４０８Ｐ１）、「ＡＰＰＡＲＡＴＵＳ，ＭＥＴＨＯＤ  ＡＮＤ  ＡＲＴＩＣＬＥ  ＦＯＲ  Ａ  ＰＯＷＥＲ  ＳＴＯＲＡＧＥ  ＤＥＶＩＣＥ，ＣＯＭＰＡＲＴＭＥＮＴ」と題し２０１１年１２月２９日に出願された米国仮特許出願第６１／５８１，５６６号（代理人整理番号１７０１７８．４１２Ｐ１）、「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＶＥＨＩＣＬＥ  ＤＩＡＧＮＯＳＴＩＣ  ＤＡＴＡ」と題し２０１２年２月２１日に出願された米国仮特許出願第６１／６０１，４０４号（代理人整理番号１７０１７８．４１７Ｐ１）、「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＬＯＣＡＴＩＯＮＳ  ＯＦ  ＰＯＷＥＲ，ＳＴＯＲＡＧＥ  ＤＥＶＩＣＥ  ＣＯＬＬＥＣＴＩＯＮ，ＣＨＡＲＧＩＮＧ  ＡＮＤ  ＤＩＳＴＲＩＢＵＴＩＯＮ  ＭＡＣＨＩＮＥＳ」と題し２０１２年２月２２日に出願された米国仮特許出願第６１／６０１，９４９号（代理人整理番号１７０１７８．４１８Ｐ１）、及び「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＩＮＦＯＲＭＡＴＩＯＮ  ＲＥＧＡＲＤＩＮＧ  ＡＶＡＩＬＡＢＩＬＩＴＹ，ＯＦ  ＰＯＷＥＲ  ＳＴＯＲＡＧＥ  ＤＥＶＩＣＥＳ  ＡＴ  Ａ  ＰＯＷＥＲ  ＳＴＯＲＡＧＥ，ＤＥＶＩＣＥ  ＣＯＬＬＥＣＴＩＯＮ，ＣＨＡＲＧＩＮＧ  ＡＮＤ  ＤＩＳＴＲＩＢＵＴＩＯＮ  ＭＡＣＨＩＮＥ」と題し２０１２年２月２２日に出願された米国仮特許出願第６１／６０１，９５３号（代理人整理番号１７０１７８．４１９Ｐ１）の出願日の利益を請求する。
【０００２】
本開示は、一般に、様々な分野又は用途（例えば、乗物用途と非乗物用途）での使用に適することがある充電式電力貯蔵装置（例えば、二次電池、スーパーキャパシタ、ウルトラキャパシタ）の分配に関連する。
【背景技術】
【０００３】
携帯型電力貯蔵装置には様々な使用法又は用途がある。
【０００４】
１つのそのような用途は、輸送の分野である。ハイブリッド自動車と電気自動車が、一般的になってきている。そのような自動車は、従来の内燃機関車両より優れた幾つかの利点を達成することがある。例えば、ハイブリッド又は電気自動車は、より高い燃料経済性を達成することがあり、排気管汚染がほとんどゼロのことがある。特に、電気自動車は、排気管汚染がないだけでなく、より低い全体汚染と関連付けられることがある。例えば、電力は、再生可能資源（例えば、太陽光発電、水力発電）から生成される。また、例えば、電力は、空気汚染を生じない発電設備（例えば、原子力発電所）で生成されることがある。また、例えば、電力は、比較的「クリーン燃焼」の燃料（例えば、天然ガス）を燃やす発電プラントで生成されることがあるが、この発電プラントは、内燃機関より高い効率を有し、かつ／又は個人車両で使用するには大きすぎ、コストが高すぎ又は高価すぎる汚染防止又は除去システム（例えば、産業用空気スクラバ）を使用することがある。
【０００５】
内燃機関によって出力が供給されるスクータ及び／又はモーターバイクなどの個人用輸送車両は、例えば、アジアの多くの大都市の多くの場所に広く普及している。そのようなスクータ及び／又はモーターバイクは、特に自動車、乗用車又はトラックと比較したときに安価な傾向がある。また、多数のエンジンスクータ及び／又はモーターバイクを有する都市は、人口密度がきわめて高くかつ高度な空気汚染に晒されている傾向がある。最近、多くのエンジンスクータ及び／又はモーターバイクは、比較的低汚染の個人輸送手段を装備している。例えば、そのようなスクータ及び／又はモーターバイクは、もっと大きい車両より燃費率が高いことがある。幾つかのスクータ及び／又はモーターバイクは、基本的な汚染防止装置（例えば、触媒コンバータ）を装備していることもある。残念ながら、工場で指定された排気ガスレベルは、スクータ及び／又はモーターバイクが使用されたときにすぐに超えてしまい、かつ／又は、例えば触媒コンバータの意図的又は非意図的の取り外しによりスクータ及び／又はモーターバイクが改良されたときには維持されない。スクータ及び／又はモーターバイクの所有者又はオペレータは、自分の車両を維持する財源又は意欲に欠けることが多い。
【０００６】
空気汚染が、人間の健康に悪影響を及ぼし、様々な疾病の発生又は悪化と関連することが知られている（例えば、様々な報告が、空気汚染を、肺気腫、喘息、肺炎、嚢胞性線維症並びに様々な循環器病に結びつけている）。そのような疾病は、多くの生命を奪い、無数の人の生活の質を深刻に低下させる。
【発明の概要】
【課題を解決するための手段】
【０００７】
内燃機関に替わるゼロ排気管は、空気品質と、したがって多くの人々の健康に極めて有益である。
【０００８】
電気自動車のゼロ排気管排気の長所は理解されているが、多くの人々による電気自動車の採用は遅れている。理由の１つは、コスト、特に二次電池のコストであると考えられる。理由のもう１つは、バッテリの１回の充電で利用できる限られた運転範囲と、放電した二次電池を充電するのに必要な比較的長い時間（例えば、数時間）であると考えられる。
【０００９】
本明細書で述べる手法は、特に密集した都市と、財源が限られた人々において、ゼロ排気管排気技術の採用を制限してきた問題の幾つかに対処することができる。
【００１０】
例えば、本明細書で述べる手法の幾つかは、電力貯蔵装置（例えば、バッテリ、スーパー又はウルトラキャパシタ）を収集、充電、分配するための収集充電分配装置を使用し、この装置は、キオスク又は自動販売機と呼ばれることもある。そのような装置は、コンビニエンスストアや既存のガス又はガソリンスタンドなど、都市や他の地域のあちこちの様々な場所に分散されることがある。
【００１１】
収集充電分配装置は、エンドユーザによる使用のために満充電又はほぼ満充電の電気貯蔵装置の在庫を維持することがある。収集充電分配装置は、例えば、放電した電気貯蔵装置を、例えばエンドユーザから返却されたとき、収集、収容又は他の方法で受け入れ、その後のエンドユーザによる再使用のためにその電気貯蔵装置を充電することがある。
【００１２】
したがって、バッテリや他の電力貯蔵装置の蓄積電荷が終わりに近づいたとき、エンドユーザは、バッテリや他の電力貯蔵装置を単純に置き換えるか、交換するか、他の方法で交換することがある。これは、コスト並びに有限の範囲と比較的長い充電時間と関連した問題に応えることができる。
【００１３】
前述したように、二次電池や他の電力貯蔵装置は、比較的高価である。したがって、できるだけ少ない数の電力貯蔵装置を在庫し、同時にそれらの電力貯蔵装置の需要が満たされるようにすると好都合である。
【００１４】
これらの理由のため、電力貯蔵装置を入手できることは、そのような努力の商業的成功にとって重要である。本明細書では、特定の場所で交通量が多く繁忙期でも現在需要を満たすことができる充電式電力貯蔵装置を提供する幾つかの手法について述べる。そのような手法は、一般に、充電済み電力貯蔵装置が、高需要の場所で入手できる可能性を高めるように、収集充電分配装置間の電力貯蔵装置の分配を決定し、再分配を達成する方法を提供する。
【００１５】
携帯型電気エネルギー貯蔵装置の分配システムを動作させる方法は、要約すると、携帯型電気エネルギー貯蔵装置用の少なくとも１つの構成された分配管理システムによって、携帯型電気エネルギー貯蔵装置を収集、充電、分配するための複数の収集充電分配装置で行われる携帯型電気エネルギー貯蔵装置交換に関する情報を受け取る工程と、少なくとも１つの構成された分配管理システムによって、携帯型電気エネルギー貯蔵装置交換に関する情報を分析して、複数の収集充電分配装置間の携帯型電気エネルギー貯蔵装置の再分配を決定する工程と、少なくとも１つの構成された分配管理システムによって、複数の収集充電分配装置間の再分配を開始する情報を送る工程とを含む。
【００１６】
携帯型電気エネルギー貯蔵装置交換に関する情報は、複数の収集充電分配装置のうちの第１の装置が、複数の収集充電分配装置のうちの第２の装置より少ない充電済み携帯型電気エネルギー貯蔵装置の在庫を有することを示すことがあり、再分配を開始する情報は、複数の収集充電分配装置のうちの第２の装置から複数の収集充電分配装置の第１の装置への１つ以上の携帯型電気エネルギー貯蔵装置の再分配を開始する情報を含んでもよい。情報を送る工程は、決定された再分配にしたがって携帯型電気エネルギー貯蔵装置を返却する収集充電分配装置のうちの特定１つ以上の装置を識別する情報を含むメッセージを送信させる工程を含む。メッセージは、携帯型電気エネルギー貯蔵装置を特定の１つ以上の収集充電分配装置に返却させるためのユーザへの交換可能なインセンティブを含み、交換可能なインセンティブは、特定の１つ以上の収集充電分配装置に携帯型電気エネルギー貯蔵装置を返却した際にユーザにアップグレードされたか高価な携帯型電気エネルギー貯蔵装置用を提供するクレジットである。情報を送る工程は、充電済み携帯型電気エネルギー貯蔵装置の余剰を有する１つ以上の収集充電分配装置から、充電済み携帯型電気エネルギー貯蔵装置の不足を有する１つ以上の他の特定の収集充電分配装置へ、１つ以上の携帯型電気エネルギー貯蔵装置を再分配する命令を含むメッセージを送らせる工程を含んでもよい。方法は、更に、充電済み携帯型電気エネルギー貯蔵装置の余剰を有する１つ以上の収集充電分配装置から、充電済み携帯型電気エネルギー貯蔵装置の不足を有する１つ以上の別の特定の収集充電分配装置へ、１つ以上の携帯型電気エネルギー貯蔵装置を再分配する工程を含んでもよい。再分配する工程は、充電済み携帯型電気エネルギー貯蔵装置の余剰を有する１つ以上の収集充電分配装置から、充電済み携帯型電気エネルギー貯蔵装置の不足を有する１つ以上の別の特定の収集充電分配装置へ、１つ以上の携帯型電気エネルギー貯蔵装置を物理的に移す工程を含んでもよい。物理的に移す工程は、１つ以上の運搬車両によって行なわれてもよい。方法は、更に、少なくとも１つの構成された分配管理システムによって、携帯型電気エネルギー貯蔵装置交換に関する情報の分析に基づいて、複数の収集充電分配装置のうちの１つ以上の新しい収集充電分配装置の取り付けと、１つ以上の既存の収集充電分配装置の取り外しの少なくとも一方を開始する情報を送る工程を含む。
【００１７】
携帯型電気エネルギー貯蔵装置の分配管理システムは、要約すると、分配システムの少なくとも１つのプロセッサと、少なくとも１つのプロセッサによって実行可能な命令を記憶する分配システムのうちの少なくとも１つのプロセッサ可読メモリとを含み、少なくとも１つのプロセッサに、携帯型電気エネルギー貯蔵装置のための複数の収集充電分配装置にある充電済み携帯型電気エネルギー貯蔵装置の需要に関する情報を受け取らせ、少なくとも需要に関する受信情報にしたがって、複数の収集充電分配装置間の携帯型電気エネルギー貯蔵装置の再分配を決定させ、複数の収集充電分配装置間の再分配を開始する情報を送らせる。
【００１８】
需要に関する情報は、異なる時間帯、週又は年の間の充電済み携帯型電気エネルギー貯蔵装置の相対的需要に関する情報を含んでもよい。需要に関する情報は、地理的位置の間の充電済み携帯型電気エネルギー貯蔵装置の相対的需要に関する情報を含んでもよい。需要に関する情報は、複数の収集充電分配装置のうちの１つ以上の装置の履歴使用パターンに関する情報を含んでもよい。需要に関する情報は、ユーザ車両位置に関する情報を含んでもよい。需要に関する情報は、携帯型電気エネルギー貯蔵装置の充電容量に関する情報を含んでもよい。需要に関する情報は、複数の収集充電分配装置で行われる携帯型電気エネルギー貯蔵装置の交換に関する情報を含んでもよい。需要に関する情報は、１つ以上の充電済み携帯型電気エネルギー貯蔵装置のユーザの経路情報に関する情報を含んでもよい。少なくとも１つのプロセッサに再分配を決定させるために少なくとも１つのプロセッサによって実行可能な命令は、更に、少なくとも１つのプロセッサに、少なくとも第２の数の携帯型電気エネルギー貯蔵装置から供給されたエネルギーによって、収集充電分配装置に現在取り外し可能に配置されている少なくとも第２の数の携帯型電気エネルギー貯蔵装置よりも急速充電される、複数の収集充電分配装置のうちの収集充電分配装置に現在取り外し可能に配置されている第１の数の携帯型電気エネルギー貯蔵装置にしたがって再分配を決定させる命令を含んでもよい。少なくとも１つのプロセッサに再分配を決定させるために少なくとも１つのプロセッサによって実行可能な命令は、需要に関する情報を分析して、複数の収集充電分配装置のうちの特定の収集充電分配装置にある充電済み携帯型電気エネルギー貯蔵装置の使用可能性を高めて、複数の収集充電分配装置のうちの特定の収集充電分配装置にある充電済み携帯型電気エネルギー貯蔵装置の現在需要又は予測需要を満たすことによって、少なくとも１つのプロセッサに再分配を決定させる。少なくとも１つのプロセッサによって実行可能な命令は、メッセージを送ることによって再分配を開始する情報を少なくとも１つのプロセッサに送らせてもよく、このメッセージは、決定された再分配にしたがって携帯型電気エネルギー貯蔵装置を返却するために収集充電分配装置のうちの特定の１つ以上の装置を識別する情報を含む。情報は、複数の収集充電分配装置のうちの１つ以上の収集充電分配装置に送られてもよい。少なくとも１つのプロセッサによって実行可能な命令は、少なくとも１つのプロセッサに、１つ以上の携帯型電気エネルギー貯蔵装置の１人以上のユーザに情報を送らせてもよく、１つ以上の携帯型電気エネルギー貯蔵装置が、複数の収集充電分配装置のうちの収集充電分配装置の１つ以上からのものである。少なくとも１つのプロセッサによって実行可能な命令は、少なくとも１つのプロセッサに、１つ以上の携帯型電気エネルギー貯蔵装置転送サービスに情報を送らせてもよい。
【００１９】
携帯型電気エネルギー貯蔵装置用の複数の収集充電分配装置のうちの携帯型電気エネルギー貯蔵装置用の１つの収集充電分配装置によって実行されたときに命令を記憶する非一時的コンピュータ可読媒体が、収集充電分配装置に、収集充電分配装置で行われる携帯型電気エネルギー貯蔵装置交換に関する情報を送る工程と、複数の収集充電分配装置のうちの１つの収集充電分配装置と１つ以上の他の収集充電分配装置との間の携帯型電気エネルギー貯蔵装置再分配に関する情報を取得する工程と、収集充電分配装置における携帯型電気エネルギー貯蔵装置を交換する要求をユーザから受け取る工程と、要求に応じて、携帯型電気エネルギー貯蔵装置再分配に関する受信情報に基づいて携帯型電気エネルギー貯蔵装置を交換する工程とを実行させる。
【００２０】
携帯型電気エネルギー貯蔵装置交換に関する情報を送る工程が、中央携帯型電気エネルギー貯蔵装置分配管理システムに情報を送る工程を含む。携帯型電気エネルギー貯蔵装置を交換する要求に対する応答が、携帯型電気エネルギー貯蔵装置の再分配に関する受信情報にしたがって、複数の収集充電分配装置のうちの１つ以上の他の特定の収集充電分配装置における携帯型電気エネルギー貯蔵装置の交換に関するメッセージをユーザに提示する工程を含んでもよい。メッセージは、携帯型電気エネルギー貯蔵装置を１つ以上の別の特定の収集充電分配装置に返却させるためのユーザへの交換可能なインセンティブを含んでもよい。インセンティブは、複数の収集充電分配装置の使用と関連した料金の割引又はクレジットとして交換可能でもよい。携帯型電気エネルギー貯蔵装置の交換に関する情報を送る工程が、異なる時間帯、週又は年の間の収集充電分配装置にある充電済み携帯型電気エネルギー貯蔵装置の相対的需要に関する情報を送る工程を含んでもよい。携帯型電気エネルギー貯蔵装置の交換に関する情報を送る工程は、収集充電分配装置における履歴使用パターンに関する情報を送る工程を含んでもよい。携帯型電気エネルギー貯蔵装置の交換に関する情報を送る工程が、収集充電分配装置のユーザに関する情報を送る工程を含んでもよい。
【００２１】
図面では、同一の参照番号は、類似の要素又は行為を示す。図面内の要素のサイズと相対位置は、必ずしも一律の倍率で描かれない。例えば、様々な要素の形状と角度は、一律の倍率で描かれておらず、これらの要素の幾つかは、図面の可読性を改善するために任意に拡大され位置決めされる。更に、描かれた要素の特定の形状は、特定の要素の実際形状に関する情報を伝えるものではなく、単に図面で理解し易いように選択されている。
【図面の簡単な説明】
【００２２】
【図１】１つの非限定的に示された実施形態による幾つかの電力貯蔵装置と収集充電分配装置を、電気スクータ又はモーターバイク、及び送電網によって提供される電気設備と共に示す概略図である。
【図２】１つの非限定的に示された実施形態による図１の収集充電分配装置のブロック図である。
【図３】１つの非限定的に示された実施形態による、図１のものと同じような、収集充電分配装置の間で携帯型電気エネルギー貯蔵装置を再分配するためのシステムのブロック図である。
【図４】１つの非限定的に示された実施形態による、図３と図４の分配管理システムの概略図である。
【図５】１つの非限定的に示された実施形態による、収集充電分配装置の間で携帯型電気エネルギー貯蔵装置を再分配するために図３と図４の分配管理システムを動作させるための高レベルの方法を示す流れ図である。
【図６】図５の方法に役立つ、収集充電分配装置のうちの特定の１つ以上の装置を識別する情報を含むメッセージを送らせる工程を含む、１つの非限定的に示された実施形態による、収集充電分配装置間で携帯型電気エネルギー貯蔵装置を再分配するために図３と図４の分配管理システムを動作させる低レベルの方法を示す流れ図である。
【図７】図５の方法に役立つ、電気エネルギー貯蔵装置を再分配する命令を含むメッセージを送らせる工程を含む、１つの非限定的に示された実施形態による、収集充電分配装置間で携帯型電気エネルギー貯蔵装置を再分配するために図３と図４の分配管理システムを動作させる低レベルの方法を示す流れ図である。
【図８】図５の方法に役立つ、携帯型電気エネルギー貯蔵装置を再分配する工程を含む、１つの非限定的に示された実施形態による、収集充電分配装置の間で携帯型電気エネルギー貯蔵装置を再分配するために図３と図４の分配管理システムを動作させる低レベルの方法を示す流れ図である。
【図９】図５の方法に役立つ、収集充電分配装置の脱着に関する情報を送る工程を含む、１つの非限定的に示された実施形態による、収集充電分配装置間で携帯型電気エネルギー貯蔵装置を再分配するために図３と図４の分配管理システムを動作させる低レベルの方法を示す流れ図である。
【図１０】充電済み携帯型電気エネルギー貯蔵装置の需要に関する受信情報に基づいて再分配を決定する工程を含む、１つの非限定的に示された実施形態による、収集充電分配装置間で携帯型電気エネルギー貯蔵装置を再分配するために図３と図４の分配管理システムを動作させる高レベルの方法を示す流れ図である。
【図１１】図１０の方法に役立つ、収集充電分配装置における急速充電シナリオにしたがって再分配を決定する工程を含む、１つの非限定的に示された実施形態による、収集充電分配装置間で携帯型電気エネルギー貯蔵装置を再分配するために図３と図４の分配管理システムを動作させる低レベルの方法を示す流れ図である。
【図１２】図１０の方法に役立つ、特定の装置における充電済み携帯型電気エネルギー貯蔵装置の使用可能性を高めるために需要に関する情報を分析する工程を含む、１つの非限定的に示された実施形態による、収集充電分配装置間で携帯型電気エネルギー貯蔵装置を再分配するために図３と図４の分配管理システムを動作させる低レベルの方法を示す流れ図である。
【図１３】図１０の方法に役立つ、１つ以上の携帯型電気エネルギー貯蔵装置転送サービスに需要に関する情報を送る工程を含む、１つの非限定的に示された実施形態による、収集充電分配装置間で携帯型電気エネルギー貯蔵装置を再分配するために図３と図４の分配管理システムを動作させる動作する低レベルの方法を示す流れ図である。
【図１４】１つの非限定的に示された実施形態による、収集充電分配装置間で携帯型電気エネルギー貯蔵装置を再分配するために図１の収集充電分配装置を動作させる高レベルの方法を示す流れ図である。
【図１５】図１４の方法に役立つ、携帯型電気エネルギー貯蔵装置交換に関する情報を、中央携帯型電気エネルギー貯蔵装置分配管理システムに送る工程を含む、１つの非限定的に示された実施形態による、収集充電分配装置間で携帯型電気エネルギー貯蔵装置を再分配するために図１の収集充電分配装置を動作させる低レベルの方法を示す流れ図である。
【図１６】図１４の方法に役立つ、１つ以上の他の特定の装置における携帯型電気エネルギー貯蔵装置の交換に関するメッセージをユーザに提示することにより、１つの非限定的に示された実施形態による、収集充電分配装置間で携帯型電気エネルギー貯蔵装置を再分配するために図１の収集充電分配装置を動作させる低レベルの方法を示す流れ図である
【発明を実施するための形態】
【００２３】
以下の説明では、種々の開示した実施形態の完全な理解を提供するために、幾つかの特定の詳細が示される。しかしながら、当業者は、実施形態を、そのような特定の詳細の１つ以上なしに又は他の方法、構成要素、材料などと共に実施してもよいことを理解するであろう。他の例では、実施形態の説明を無駄に分かりにくくしないように、変圧器、整流器、ＤＣ／ＤＣ電力変換装置、スイッチモード電力変換装置、コントローラ、並びに通信システム、構造及びネットワークを含むがこれらに限定されない自動販売機、バッテリ、スーパー又はウルトラキャパシタ、電力変換装置と関連した周知の構造物は、詳細に示されずまた記述されない。
【００２４】
文脈で特に必要とされない限り、以下の明細と特許請求の範囲全体にわたって、用語「comprise：有する、備える、含む」と、「comprises」や「comprising」などの変形は、「〜を含むがそれらに限定されない」という制限でない包括的な意味に解釈されるべきである。
【００２５】
本明細書全体にわたって、「one embodiment」又は「an embodiment」（実施例）は、実施例と関連して説明される特定の特徴、構造又は特性が、少なくとも１つの実施形態に含まれることを意味する。したがって、本明細書全体にわたって様々な場所に現れる句「in one embodiment」又は「in an embodiment」（実施例）は、全て同じ実施形態を参照するとは限らない。
【００２６】
第１、第２、第３などの序数の使用は、必ずしも格付けされた順序を意味するものではなく、行為又は構造の複数の実例を区別するだけのことがある。
【００２７】
携帯型電力貯蔵装置の言及は、バッテリ、スーパー又はウルトラキャパシタを含むがこれらに限定されない電力を貯蔵し貯蔵された電力を放出することができる任意の装置を意味する。バッテリの言及は、化学的蓄電池、例えば、ニッケルカドミウム電池やリチウムイオン電池を含むがこれらに限定されない充電式電池又は二次電池を意味する。
【００２８】
本明細書で示される見出しと開示内容の要約は、単に便宜上のものであり、実施形態の趣旨又は意味を解釈するものではない。
【００２９】
図１は、１つの示された実施形態による収集充電分配装置１０２を含む環境１００を示す。
【００３０】
収集充電分配装置１０２は、自動販売機又はキオスクの形態を取ることがある。収集充電分配装置１０２は、携帯型電気エネルギー貯蔵装置（例えば、バッテリ、スーパー又はウルトラキャパシタ）１０６ａ〜１０６ｎ（集合的に１０６）を収集充電分配のために着脱自在に収容する複数の収容器、区画又はレセプタクル１０４ａ、１０４ｂ〜１０４ｎ（図１には３つだけ示した。集合的に１０４）を有する。図１に示されたように、収容器１０４の幾つかは空であり、他の収容器１０４は、携帯型電気エネルギー貯蔵装置１０６を保持する。図１は、１つの収容器１０４につき単一の携帯型電気エネルギー貯蔵装置１０６を示すが、幾つかの実施形態では、各収容器１０４は、２台以上の携帯型電気エネルギー貯蔵装置１０６を保持してもよい。例えば、それぞれ又は複数の収容器１０４が、３台の携帯型電気エネルギー貯蔵装置１０６を収容するのに十分な深さでよい。したがって、例えば、図１に示した収集充電分配装置１０２は、４０、８０又は１２０台の携帯型電気エネルギー貯蔵装置１０６を同時に保持することができる能力を有してもよい。
【００３１】
携帯型電気エネルギー貯蔵装置１０６は、例えば、バッテリ（例えば、電池のアレイ）又はスーパー若しくはウルトラキャパシタ（例えば、ウルトラキャパシタセルのアレイ）などの様々な形態を取ってもよい。例えば、携帯型電気エネルギー貯蔵装置１０６ｚは、充電式バッテリ（即ち、二次電池又はバッテリ）の形態をとってもよい。携帯型電気エネルギー貯蔵装置１０６ｚは、例えば、全電気スクータやモーターバイク１０８などの個人輸送車両に物理的に適合し給電するように容量が決められてもよい。前述したように、エンジンスクータとモーターバイクは、例えば、アジア、ヨーロッパ及び中東の多くの大都市で一般的である。都市又は地域の至る所で充電済みバッテリを便利に入手できるので、エンジンスクータやモーターバイクの代わりに全電気スクータ及びモーターバイク１０８を使用することができ、それにより大気汚染が減少し、騒音が減少することがある。
【００３２】
携帯型電気エネルギー貯蔵装置１０６（携帯型電気エネルギー貯蔵装置１０６ｚだけを示す）は、携帯型電気エネルギー貯蔵装置１０６ｚの外部からアクセス可能な幾つかの電気端子１１０ａ，１１０ｂ（２つを例示し、集合的に１１０）を有してもよい。電気端子１１０は、携帯型電気エネルギー貯蔵装置１０６ｚから電荷を送ることを可能にし、また携帯型電気エネルギー貯蔵装置１０６ｚを充電又は再充電するために電荷を携帯型電気エネルギー貯蔵装置１０６ｚに送ることを可能にする。電気端子１１０は、図１に柱として示されたが、電池ハウジング内のスロット内に位置決めされた電気端子を含む、携帯型電気エネルギー貯蔵装置１０６ｚの外部からアクセス可能な任意の他の形態を取ってもよい。
【００３３】
収集充電分配装置１０２は、収集充電分配装置１０２が様々なエンドユーザによって都合よくかつ容易にアクセスできる幾つかの場所１１２に位置決めされる。場所は、例えばコンビニエンスストア、スーパーマーケット、ガス又はガソリンスタンド、サービスショップなどの小売り環境のような、様々な形態のいずれを取ることもできる。あるいは、収集充電分配装置１０２は、既存の小売りや他の事業と関連しない場所１１２、例えば都市公園や他の公共場所に単独であってもよい。したがって、例えば、収集充電分配装置１０２は、都市又は地域の至る所のコンビニエンスストアのチェーンの各店舗に配置さてもよい。そのようなものは、有利には、コンビニエンスストアが、ターゲットとなる人々に対する利便性又は人口統計に基づいて立地又は分散されることが多いという事実に依存することがある。そのようなものは、有利には、収集充電分配装置１０２の広範囲のネットワークを都市又は地域内に迅速に展開できるようにするために、店頭や他の小売り場所で既存の賃貸契約に依存することがある。ターゲットとなる人々に役立つように地理的に適切に分散された大規模ネットワークを迅速に達成することにより、そのようなシステムに依存する能力と、そのような努力の有望な商業的成功が強化される。
【００３４】
しかしながら、幾つかの収集充電分配装置１０２は、特に忙しい時間帯、週又は年によって、また他の要因によって、他の収集充電分配装置１０２よりも高い充電済み携帯型電気エネルギー貯蔵装置１０６の需要があることがある。そのような他の要因には、例えば、特定の場所で他の場所より多いか又は少ない人々が電動車両を使用すること、収集充電分配装置１０２を有する特定の場所が高交通量又は通勤者に便利な領域にあることが挙げられる。本明細書では、収集充電分配装置１０２間のネットワークを迅速に構築又は再構成しかつ／又は充電済み携帯型電気エネルギー貯蔵装置１０６を再分配し、また将来のより適切な分配を決定する機能について述べる。
【００３５】
場所１１２は、例えば送電網１１６を介して発電所（不図示）から電力を受け取る電気設備１１４を含む。電気設備１１４は、例えば、電気設備メータ１１４ａ、回路パネル（例えば、回路遮断器パネル又はヒューズボックス）１１４ｂ、配線１１４ｃ、及び電気コンセント１１４ｄのうちの１つ以上を含むことがある。場所１１２が、既存の小売り店又はコンビニエンスストアの場合、電気設備１１４は、既存の電気設備のことがあり、したがって、ある程度定格が限定されることがある（例えば、１２０ボルト、２４０ボルト、２２０ボルト、２３０ボルト、１５アンペア）。
【００３６】
小売り場所１１２のオペレータも、収集充電分配装置１０２の所有者、分配者又はオペレータも、電気設備１１４を増強するコストを負担したくないことがある。更に、エンドユーザが使用できる携帯型電気エネルギー貯蔵装置１０６の十分な供給を維持するには急速充電が望ましい。既存の電気設備又は他の方法で制限された定格の電気設備を維持しながら迅速に充電する機能は、「ＡＰＰＡＲＡＴＵＳ，ＭＥＴＨＯＤ  ＡＮＤ  ＡＲＴＩＣＬＥ  ＦＯＲ  ＣＯＬＬＥＣＴＩＯＮ，ＣＨＡＲＧＩＮＧ  ＡＮＤ  ＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ」と題し２０１１年７月２６日に出願された米国仮特許出願第６１／５１１，９００号で扱われている（代理人整理番号１７０１７８．４０１Ｐ１）。
【００３７】
必要に応じて、収集充電分配装置１０２は、再生可能な電源を含むか又はその電源に結合されてもよい。例えば、屋外の場所に設置された場合、収集充電分配装置１０２は、太陽光から電力を生成する光起電力（ＰＶ）電池１１８のアレイを含む。あるいは、収集充電分配装置１０２は、場所１１２のどこか他のところ（例えば、屋上又はポール（図示せず）の最上部に取り付けられたポール上）に位置決めされたマイクロタービン（例えば、風力タービン）又はＰＶアレイに電気的に接続されてもよい。
【００３８】
収集充電分配装置１０２は、バックエンド又はバックオフィスシステム（１つだけ示した）１２０などの１つ以上の遠隔配置されたコンピュータシステムに通信によって結合されてもよい。バックエンド又はバックオフィスシステム１２０は、都市などの地域に分散された複数の収集充電分配装置１０２からデータを収集しかつ／又はそれらの装置を制御してもよい。通信は、１つ以上のネットワーク１２２を含む１つ以上の通信チャネル、又はネットワーク接続されていない通信チャネルを介して行われてもよい。通信は、１つ以上の有線通信チャネル（例えば、撚線対配線、光ファイバ）、無線通信チャネル（例えば、無線、マイクロ波、衛星、８０１．１１準拠）を介したものでもよい。ネットワーク接続された通信チャネルは、１つ以上のローカルエリアネットワーク（ＬＡＮ）、広域ネットワーク（ＷＡＮ）、エクストラネット、イントラネット、又はインターネットのワールドワイドウェブ部分を含むインターネットを含んでもよい。
【００３９】
収集充電分配装置１０２は、ユーザインタフェース１２４を含んでもよい。ユーザインタフェースは、エンドユーザが収集充電分配装置１０２と対話することを可能にする様々な入出力（Ｉ／Ｏ）装置を含んでもよい。様々な入出力装置は、図２に関連して以下のように表記され記述される。
【００４０】
図２は、１つの示された実施形態による図１の収集充電分配装置１０２を示す。
【００４１】
収集充電分配装置１０２は、制御サブシステム２０２、充電サブシステム２０４、通信サブシステム２０６、及びユーザインタフェースサブシステム２０８を含む。
【００４２】
制御サブシステム２０２は、様々なセンサから信号を受け取り、論理演算を実行し、様々な構成要素に信号を送ることができるコントローラ２１０（例えば、マイクロプロセッサ、マイクロコントローラ、プログラマブルロジックコントローラ（ＰＬＣ）、プログラマブルゲートアレイ（ＰＧＡ）、特定用途向け集積回路（ＡＳＩＣ）、又は別のコントローラ）を含む。典型的には、コントローラ２１０は、マイクロプロセッサ（例えば、ＩＮＴＥＬ、ＡＭＤ、ＡＴＯＭ）の形態を取ることがある。制御サブシステム２０２は、また、１つ以上の非一時的プロセッサ又はコンピュータ可読記憶媒体（例えば、読み出し専用メモリ（ＲＯＭ）２１２、ランダムアクセスメモリ（ＲＡＭ）２１４）、及びデータ記憶装置２１６（例えば、フラッシュメモリやＥＥＰＲＯＭなどの固体記憶媒体、ハードディスクなどの回転型記憶媒体）を含んでもよい。非一時的プロセッサ又はコンピュータ可読記憶媒体２１２，２１４，２１６は、コントローラ２１０の一部の任意の非一時的記憶媒体（例えば、レジスタ）に追加されてもよい。制御サブシステム２０２は、様々な構成要素を結合する１つ以上のバス２１８（例えば、１つ以上の電力バス、命令バス、データバス）を含んでもよい。
【００４３】
図示されたように、ＲＯＭ２１２、又は非一時的プロセッサ又はコンピュータ可読記憶媒体２１２，２１４，２１６のうちの別のものは、命令及び／又は変数若しくはパラメータのためのデータ若しくは値を記憶する。データの組は、様々な形態（例えば、ルックアップ表、データベース内の１組のレコードなど）を取ることがある。命令並びにデータ又は値の組は、コントローラ１１０によって実行可能である。命令並びにデータ又は値の組の実行は、コントローラ１１０に特定の操作を実行させて、収集充電分配装置１０２に、携帯型エネルギー貯蔵装置を収集、充電、分配させる。収集充電分配装置１０２の特定の動作を本明細書で述べ、様々な流れ図（図１４〜図１６）を参照して以下に述べる。
【００４４】
コントローラ２１０は、命令やデータなどの非持久記憶のために、ＲＡＭ２１４を従来の方式で使用してもよい。コントローラ２１０は、データ記憶装置２１６を使用して、情報（例えば、携帯型電力貯蔵装置１０６の収集、充電及び／若しくは分配、並びに／又は収集充電分配装置１０２自体の動作と関連した遠隔測定情報）を記録又は保持してもよい。命令は、エンドユーザ又はオペレータ入力に応じて、変数又はパラメータのデータ又は値を使用して、収集充電分配装置１０２の動作を制御するために、コントローラ２１０によって実行可能である。
【００４５】
制御サブシステム２０２は、収集充電分配装置１０２の様々なセンサ及び／又は構成要素から、そのような他の構成要素の動作、状況又は状態を示す情報を特徴付けるか示す情報を含む信号を受け取る。センサは、図２では、丸の中に適切な添付文字と共に文字Ｓで示されている。
【００４６】
例えば、１つ以上の位置センサＳP1〜ＳPNは、各収容器１０４内の携帯型電力貯蔵装置１０６の有無を検出してもよい。位置センサＳP1〜ＳPNは、様々な形態をとってもよい。例えば、位置センサＳP1〜ＳPNは、携帯型電力貯蔵装置１０６が収容器１０４に挿入されたときに、それぞれの携帯型電力貯蔵装置１０６の一部分との接触に応じて開閉される機械式スイッチの形態を取ってもよい。また例えば、位置センサＳP1〜ＳPNは、携帯型電力貯蔵装置１０６が収容器１０４に挿入されたときにそれぞれの携帯型電力貯蔵装置１０６の一部分と接触することに応じて開閉される光スイッチ（即ち、光源と収容器）の形態をとってもよい。また例えば、位置センサＳP1〜ＳPNは、収容器１０４に携帯型電力貯蔵装置１０６が挿入されたときにそれぞれの携帯型電力貯蔵装置１０６の端子１１０との接触によって生じる閉路状態の検出、又は収容器１０４内にそれぞれの携帯型電力貯蔵装置１０６がないことによって生じる開路状態の検出に応じて開閉される電気センサ又はスイッチの形態をとってもよい。これらの例は、非限定的なものであり、収容器内の携帯型電力貯蔵装置１０６の有無又は挿入を検出するための他の構造及び装置が使用されてもよいことに注意されたい。
【００４７】
例えば、１つ以上の充電センサＳC1〜ＳCNが、各収容器１０４にある携帯型電力貯蔵装置１０６の充電を検出してもよい。充電センサＳC1〜ＳCNは、携帯型電力貯蔵装置１０６によって貯蔵された電荷の量を検出してもよい。充電センサＳC1〜ＳCNは、更に、各収容器１０４にある携帯型電力貯蔵装置１０６に供給されている電荷の量及び／又は充電率を検出してもよい。そのようなものは、各携帯型電力貯蔵装置１０６の現在の（即ち、一時的）充電状態又は状況の評価を可能にし、また充電率の制御を含むその充電に関するフィードバック制御を可能にしてもよい。充電センサＳC1〜ＳCNには、任意の様々な電流及び／又は電圧センサが挙げられる。
【００４８】
例えば、１つ以上の充電センサＳT1（１つだけを示す）が、収容器１０４又は周囲環境の温度を検出又は感知してもよい。
【００４９】
制御サブシステム２０２は、制御信号に応じて様々なアクチュエータ及び／又は他の構成要素に信号を提供し、その信号は、構成要素が実行するべき操作を特徴付けるか示す情報、又は構成要素が移行すべき状態又は条件を含む。制御信号、アクチュエータ、又は制御信号に応答する他の構成要素は、図２で、丸の中に示された適切な添付文字と共に文字Ｃによって表わされる。
【００５０】
例えば、１つ以上のエンジン制御信号ＣA1〜ＣANは、１つ以上のアクチュエータ２２０（１つだけ示す）の動作に影響を及ぼすことがある。例えば、制御信号ＣA1は、アクチュエータ２２０を第１の位置と第２の位置との間で動かすか、アクチュエータ２２０によって生成された磁界を変化させる。アクチュエータ２２０は、ソレノイド、ステッパモータなどの電気モータ、又は電磁石を含むがこれに限定されない様々な形態のいずれでもよい。アクチュエータ２２０は、ラッチ、ロック又は他の保持器機構２２２を操作するために結合されてもよい。ラッチ、ロック又は他の保持器機構２２２は、収容器１０４内に１つ以上の携帯型電力貯蔵装置１０６（図１）を選択的に固定又は保持してもよい（図１）。例えば、ラッチ、ロック又は他の保持器機構２２２は、携帯型電力貯蔵装置１０６（図１）のハウジングの一部である無料構造物に物理的に結合してもよい。あるいは、ラッチ、ロック又は他の保持器機構２２２は、携帯型電力貯蔵装置１０６（図１）のハウジングの一部である無料構造物に磁気的に結合してもよい。また例えば、ラッチ、ロック又は他の機構は、収容器１０４（図１）を開いてもよく、収容器１０４を開き、ある程度又は完全に放電された携帯型電力貯蔵装置１０６を充電のために収容してもよい。例えば、アクチュエータは、収容器１０４（図１）への扉を開閉して、収容された携帯型電力貯蔵装置１０６（図１）に選択的にアクセスしてもよい。また例えば、アクチュエータは、ラッチ又はロックを開閉して、エンドユーザが、収容器１０４（図１）への扉を開閉して、収容された携帯型電力貯蔵装置１０６（図１）に選択的にアクセスできるようにしてもよい。
【００５１】
制御サブシステム２０２は、充電サブシステム２０６の１つ以上のポート２２４ｂに制御信号を提供する１つ以上のポート２２４ａを有してもよい。ポート２２４ａ，２２４ｂは、双方向通信を提供してもよい。制御サブシステム２０２は、ユーザインタフェースサブシステム２０８の１つ以上のポート２２６ｂに制御信号を提供する１つ以上のポート２２６ａを含んでもよい。ポート２２６ａ，２２６ｂは、双方向通信を提供してもよい。
【００５２】
充電サブシステム１０２は、収容器１０４内に位置決め又は収容されたときに携帯型電力貯蔵装置１０６を充電する様々な電気部品又は電子部品を含む。例えば、充電サブシステム１０２は、１つ以上の電力バス又は電源バスバー、継電器、接触器又は他のスイッチ（例えば、絶縁ゲートバイポーラトランジスタ又はＩＧＢＴ、金属酸化物トランジスタ又はＭＯＳＦＥＴ）、整流器ブリッジ、電流センサ、地絡回路などを含んでもよい。電力は、例えば端子、リード線、柱などの様々な形態のどれをとってもよい接点を介して供給される。接点は、様々な構成要素の電気的結合を可能にする。幾つかの可能な実施態様は、図２の示されかつ／又は後述される。そのようなものは、排他的ではなく、追加の構成要素を使用することができ、他の構成要素が省略されることがある。
【００５３】
図示された充電サブシステム１０２は、電線又はコード２３２を介して電気設備１１４（図１）から電力を受け取る第１の電力変換装置２３０を含む。電力は、典型的には、単相、二相又は三相の交流電力の形態になる。したがって、第１の電力変換装置２３０は、電気設備１１４（図１）を介して受け取った電力を変換し他の方法で調整する（例えば、交流波形を直流に整流し、電圧、電流、位相を変換し、また過渡現象と雑音を減少させる）ために必要なことがある。したがって、第１の電力変換装置２３０は、変圧器２３４、整流器２３６、ＤＣ／ＤＣ電力変換装置２３８、及びフィルタ２４０を有してもよい。
【００５４】
変圧器２３４は、電気設備１１４（図１）を介して受け取った電力を処理するのに適した定格を有する任意の市販の変圧器の形態をとってもよい。幾つかの実施形態は、複数の変圧器を使用してもよい。変圧器２３４は、有利には、収集充電分配装置１０２の構成要素と送電網１１６（図１）との間のガルバニック分離を提供してもよい。整流器２３６は、様々な形態（例えば、フルブリッジダイオード整流器、スイッチモード整流器）のうちのどの形態をとってもよい。整流器２３６は、交流電力を直流電力に変換するように動作されてもよい。ＤＣ／ＤＣ電力変換装置２３８は、種々の形態のうちのどの形態でもよい。例えば、ＤＣ／ＤＣ電力変換装置２３８は、スイッチモードＤＣ／ＤＣ電力変換装置（例えば、ハーフ又はフルブリッジ構成でＩＧＢＴ、ＭＯＳＦＥＴを使用する）の形態をとってもよく、１つ以上のインダクタを含んでもよい。ＤＣ／ＤＣ電力変換装置２３８は、ブーストコンバータ、バックコンバータ、同期バックコンバータ、バックブーストコンバータ、又はフライバックコンバータを含む任意数のトポロジを有してもよい。フィルタは、電圧スパイクを抑制し、過渡現象及び／又は雑音を除去又は低減する１つ以上のキャパシタ、抵抗器、ツェナーダイオード、又は他の要素を有してもよい。
【００５５】
図示された充電サブシステム１０２は、また、再生可能電源（例えば、ＰＶアレイ１１８）から電力を受け取ることがある（図１）。そのような電力は、第１の電力変換装置２３０によって変換又は調整され、例えば、ＤＣ／ＤＣ電力変換装置２３８に直接供給され、変圧器２３６及び／又は整流器２３６を迂回してもよい。あるいは、図示された充電サブシステム１０２は、そのような電力を変換するか他の方法で調整する専用電力変換装置を含んでもよい。
【００５６】
図示された充電サブシステム１０２は、必要に応じて、携帯型電力貯蔵装置１０６の他のものを充電するために、１本以上の電線２４４を介して１つ以上の携帯型電力貯蔵装置１０６（図１）から電力を受け取る第２の電力変換装置２４２を含んでもよい。したがって、第２の電力変換装置２４２は、携帯型電力貯蔵装置１０６から受け取った電力を変換しかつ／又は他の方法で調整し、例えば必要に応じて電圧又は電流を変換し、過渡現象と雑音を減少させなければならないことがある。したがって、第２の電力変換装置２４２は、必要に応じて、ＤＣ／ＤＣ電力変換装置２４６及び／又はフィルタ２４８を含んでもよい。以上、様々なタイプのＤＣ／ＤＣ電力変換装置とフィルタについて述べた。
【００５７】
図示された充電サブシステム１０２は、制御サブシステム２０２からのポート２２４ａ，２２４ｂによって提供された制御信号に応じる複数のスイッチ２５０を有する。スイッチは、第１の数又は組の携帯型電力貯蔵装置１０６を、第１の電力変換装置２３０を介して電気設備によって供給される電力で充電するか、第２の数又は組の携帯型電力貯蔵装置１０６によって供給される電力で充電するかを選択的に結合する働きをしてもよい。第１の数又は組の携帯型電力貯蔵装置１０６は、単一の携帯型電力貯蔵装置１０６、２つ以上の携帯型電力貯蔵装置１０６を含んでもよい。第２の数又は組の携帯型電力貯蔵装置１０６は、単一の携帯型電力貯蔵装置１０６、２つ以上の携帯型電力貯蔵装置１０６を含んでもよい。携帯型電力貯蔵装置１０６は、負荷Ｌ１、Ｌ２〜ＬＮとして図２に表わされる。
【００５８】
通信サブシステム２０６は、更に、バックエンド又はバックオフィスシステム１２０（図１）の様々な構成要素との通信を容易にする１つ以上の通信モジュール又は構成要素を含んでもよい。通信サブシステム２０６は、例えば、１つ以上のモデム２５２、１つ以上のイーサネット又は他のタイプの通信カード若しくは構成要素２５４を含んでもよい。制御サブシステム２０２のポート２５６ａは、制御サブシステム２０２を通信サブシステム２０６のポート２５６ｂと通信で結合してもよい。通信サブシステム２０６は、有線及び／又は無線通信を提供してもよい。通信サブシステム２０６は、様々なリモート構成要素又はシステムまでの無線信号経路を提供するための１つ以上のポート、無線受信器、無線送信器、又は無線トランシーバを含んでもよい。遠隔通信サブシステム２０６は、パケット交換型通信プロトコル（ＴＣＰ／ＩＰ）、イーサネット又は他のネットワークプロトコルを含む、ネットワークトラフィックを処理するのに適した１つ以上のブリッジ又はルータを含んでもよい。
【００５９】
ユーザインタフェースシステム２０８は、１つ以上のユーザ入力／出力（Ｉ／Ｏ）構成要素を含む。例えば、ユーザインタフェースシステム２０８は、エンドユーザに情報とグラフィックユーザインタフェース（ＧＵＩ）を提示し、またユーザ選択の指示を受け取る働きをするタッチスクリーンディスプレイ２０８ａを含んでもよい。ユーザインタフェースシステム２０８は、エンドユーザがＧＵＩで情報を入力しかつ／又はユーザ選択可能アイコンを選択するために、キーボード若しくはキーパッド２０８ｂ及び／又はカーソルコントローラ（例えば、マウス、トラックボール、トラックパッド）（図示せず）を含んでもよい。ユーザインタフェースシステム２０８は、エンドユーザに可聴メッセージを提供するスピーカ２０８ｃ及び／又は音声指示などの音声ユーザ入力を受け取るマイクロフォン２０８ｄを含んでもよい。
【００６０】
ユーザインタフェースシステム２０８は、カード型媒体２０９から情報を読み取るカード読取り機２０８ｅを備えてもよい。カード読取り機２０８ｅは、様々な形態を取ってもよい。例えば、カード読取り機２０８ｅは、カード２０９に保持された磁気ストライプで符号化された情報を読み取るための磁気ストライプ読取り機の形態を取るかそれを含んでもよい。例えば、カード読取り機２０８ｅは、カード２０９に保持された装置可読記号で符号化された情報を読み取るための装置可読記号（例えば、バーコード、マトリクスコード）カード読取り機の形態を取るか又はそれを含んでもよい。例えば、カード読取り機２０８ｅは、カード２０９に保持された非一時的媒体に符号化された情報を読み取るためのスマートカード読取り機の形態を取るかそれを含んでもよい。そのようなカード読取り機は、例えば、無線周波数識別（ＲＦＩＤ）トランスポンダ又は電子支払いチップ（例えば、近距離無線通信（ＮＦＣ）チップ）を使用する媒体を含んでもよい。これにより、カード読取り機２０８ｅは、様々なカード媒体２０９（例えば、クレジットカード、支払カード、ギフトカード、プリペイドカード、並びに運転免許などの識別媒体）から情報を読み取ることができる。
【００６１】
ユーザインタフェースシステム２０８は、現金支払を受け入れ検証するために紙幣アクセプタ２０８ｆ及び検証機及び／又はコインアクセプタ２０８ｇを備えてもよい。そのようなユーザインタフェースシステム２０８は、クレジットを利用できない人達へのサービスにきわめて有効なことがある。紙幣アクセプタ及び検証機２０８ｆ並びに／又はコインアクセプタ２０８ｇは、任意の様々な形態（例えば、現在市販されており様々な自動販売機とキオスクで使用されているもの）を取ってもよい。
【００６２】
図３は、１つの非限定的に示された実施形態による、図１のような収集充電分配装置間で携帯型電気エネルギー貯蔵装置を再分配するためのシステム３００のブロック図である。
【００６３】
例えば、図１の収集充電分配装置１０２のような装置など、収集充電分配装置間の携帯型電気エネルギー貯蔵装置１０６の分配と再分配を管理する分配管理システム３０２が示される。幾つかの実施形態では、分配管理システム３０２は、図１に示されたバックエンド又はバックオフィスシステム１２０でよい。他の実施形態では、分配管理システム３０２は、図１に示されたバックエンド又はバックオフィスシステム１２０の一部でもよく、そのようなシステムと通信してもよい。
【００６４】
説明のため、区域Ｘ３０６と区域Ｙ３０４の２つの例示的な区域が示され、各区域は、１つ以上の収集充電分配装置と１つ以上の電動車両を含む。図３に示されたように、一例として、区域Ｘ３０６は、収集充電分配装置３０８ａ、収集充電分配装置３０８ｂ、並びに車両３１０ａを含む。区域Ｙ３０４は、収集充電分配装置３０８ｃ、収集充電分配装置３０８ｄ、及び車両３１０ｂを含む。各区域は、土地、街、地区、地方自治体、都市、集団、郡、州、県（province）、国、道路、水路、経度若しくは緯度、境界、又は他の公共的、個人的、物理的若しくは政治的境界を含むがこれらに限定されない、任意数の基準によって規定されることがある境界を有する様々な地理的場所を表わす。また、各区域は、より少数若しくは多数の収集充電分配装置、及び／又はより少数若しくは多数の電動車両を含んでもよい。他の構成及び実施形態では、より少数又は多数の区域があってもよく、規定された特定の区域がなくてもよい。
【００６５】
分配管理システム３０２は、収集充電分配装置３０８ａ、３０８ｂ、３０８ｃ及び３０８ｄ、並びに携帯型電気エネルギー貯蔵装置転送サービス３１２及び１つ以上のユーザ移動通信装置３１３（例として１つだけ示した）と通信し、その結果、分配管理システム３０２と、収集充電分配装置の３０８ａ、３０８ｂ、３０８ｃ及び３０８ｄと、携帯型電気エネルギー貯蔵装置転送サービス３１２と、ユーザ移動通信装置３１３との間でデータを交換できる。このデータは、特定の場所、区域及び装置にある充電済み携帯型電気エネルギー貯蔵装置、及び様々な装置で行われる携帯型電気エネルギー貯蔵装置の交換に関し、及び／又は充電及び分配装置３０８ａ、３０８ｂ、３０８ｃ及び３０８ｄ間の携帯型電気エネルギー貯蔵装置の再分配に関する実際需要、予想需要又は予測需要であってもよい。また、分配管理システム３０２、収集充電分配装置３０８ａ、３０８ｂ、３０８ｃ及び３０８ｄ、携帯型電気エネルギー貯蔵装置転送サービス３１２、並びにユーザ移動通信装置３１３は、幾つかの実施形態では、追加又は代替で、互いに直接通信してもよい。
【００６６】
図３の様々な要素、システム及びエンティティ間のこの通信は、これらの種々の要素、システム及びエンティティの種々の通信サブシステムによって有効にされる。例えば、この通信は、分配装置３０８ａ、３０８ｂ、３０８ｃ及び３０８ｄ、分配管理システム３０２、車両３１０ａ及び３１０ｂ、転送サービス３１２、並びにユーザ移動通信装置３１３の様々な通信サブシステムによって有効にされる。そのような通信サブシステムの１つ以上は、有線及び／又は無線通信（例えば、セルラ、ローカルエリアネットワーク接続、及び／又は短距離無線接続）を提供することができる。図３の要素の通信サブシステムは、様々なリモート構成要素又はシステムへの無線信号経路を提供するための１つ以上のポート、無線受信器、無線送信器、又は無線トランシーバを含んでもよい。遠隔通信サブシステムは、パケット交換型通信プロトコル（ＴＣＰ／ＩＰ）、イーサネット、又は他のネットワークプロトコルを含む、ネットワークトラフィックを処理するのに好適な１つ以上のブリッジ又はルータを含んでもよい。
【００６７】
実際には、個別の収集充電分配装置の予想需要又は予測需要は、他の収集充電分配装置に対して増減し、常に特定の装置又は１つ以上の装置を含む特定区域で充電済み携帯型電気エネルギー貯蔵装置の余剰又は不足が生じることがある。したがって、現在需要を満たすために、１つ以上の充電済み携帯型電気エネルギー貯蔵装置を、ある収集充電分配装置から別の収集充電分配装置に迅速に再分配することが有利なことがある。また、ユーザに、その空になった携帯型電気エネルギー貯蔵装置を、充電済み携帯型電気エネルギー貯蔵装置の余剰の多い収集充電分配装置で交換させることが有利なことがある。
【００６８】
例えば、収集充電分配装置の３０８ａが、５０個の充電済み電気エネルギー貯蔵装置を有し、収集充電分配装置３０８ｃが、３つの充電済み電気エネルギー貯蔵装置しかない場合、収集充電分配装置３０８ａが、収集充電分配装置３０８ｃより少ない需要がある場合には、収集充電分配装置３０８ａから収集充電分配装置３０８ｃに１つ以上の電気エネルギー貯蔵装置を再分配することが有利なことがある。そのため、分配管理システム３０２が不均衡を検出すると、分配管理システム３０２は、再分配を物理的に行う命令を転送サービス３１２に自動的に送るか、追加の充電済み電気エネルギー貯蔵装置を収集充電分配装置のネットワークに運んでもよい。この方法は、様々な方法で達成されてもよい。
【００６９】
例えば、分配管理システム３０２は、充電済み電気エネルギー貯蔵装置の現在在庫を示す更新を収集充電分配装置３０８ｃから受け取ってもよく、かつ／又は分配管理システム３０２が、収集充電分配装置３０８ａから、その装置が、充電済み電気エネルギー貯蔵装置のしきい値より低いという警告を受け取ってもよい。幾つかの実施形態では、分配管理システム３０２は、全て又は多くの充電及び分配装置の充電済み電気エネルギー貯蔵装置の在庫を継続的又は定期的に監視し、次により低い需要がある収集充電分配装置のうちのどの装置が、充電済み電気エネルギー貯蔵装置を犠牲にして、所定の時間に高い需要がある他の収集充電分配装置に提供するかを決定してもよい。また、収集充電分配装置は、それぞれの収集充電分配装置の充電済み電気エネルギー貯蔵装置の在庫に関する更新を分配管理システム３０２に継続的又は定期的に提供してもよい。次に、転送サービス３１２は、自動的に人を行かせて充電済み電気エネルギー貯蔵装置を収集充電分配装置間で物理的に移してもよく、高い需要の収集充電分配装置における収集充電分配装置のネットワークに１つ以上の追加の充電済み電気エネルギー貯蔵装置を配送してもよい。
【００７０】
幾つかの実施形態では、分配管理システム３０２が、再分配が行われるべきであることを警告されるか決定した後で、分配管理システム３０２は、特定の収集充電分配装置を識別する情報を含むメッセージを１人以上のユーザに送信して、決定された再分配にしたがって彼らの携帯型電気エネルギー貯蔵装置を返却させてもよい。メッセージは、例えば、ユーザの移動通信装置３１３によって、又はユーザの車両の通信装置によって受け取られてもよい。ユーザが、放電したか又はほとんど放電した携帯型電気エネルギー貯蔵装置を、充電済み電気エネルギー貯蔵装置の相対的に高い余剰を有する収集充電分配装置に戻した場合、電気エネルギー貯蔵装置が相対的に不足した収集充電分配装置での需要が緩和されることがあり、これにより、システム３００内の充電済み携帯型電気エネルギー貯蔵装置の使用可能性が全体として高まり、システム３００内の充電済み電気エネルギー貯蔵装置の全需要がより満たされる。
【００７１】
幾つかの例では、特定の収集充電分配装置は、更に、現在より高い需要がある可能性の高い他の収集充電分配装置よりもユーザの現在位置から遠いことがある。したがって、メッセージは、ユーザが自分の携帯型電気エネルギー貯蔵装置を交換するか特定の収集充電分配装置のうちの１つの装置に返却するため交換可能なインセンティブを含んでもよい。例えば、インセンティブは、複数の収集充電分配装置の使用に関連した料金の割引又はクレジットとして交換可能としてもよい。また、予想される需要のスパイクを必要に応じて阻止又は平滑化するために、電気エネルギー貯蔵装置が放電するか又はほとんど放電する前に返却又は交換するための類似のインセンティブがユーザに提供されてもよい。例えば、ユーザが、電荷が放電するか又はほぼ放電する前に携帯型電気エネルギー貯蔵装置を交換するとき、返却された携帯型電気エネルギー貯蔵装置は、需要の予想スパイクの前（例えば、道路に多数のユーザがいると予想されるとき、又は他の状況で需要が高いとき）に完全に充電する機会を有することがあり、交換された新しく充電された携帯型電気エネルギー貯蔵装置が、需要のスパイク全体にわたって持続することが予想される。現在の充電レベルは、本明細書に述べた様々な携帯型電気エネルギー貯蔵装置センサ、追跡システム、及び無線通信システムの組み合わせを使用して検出されてもよく、ユーザの使用履歴とユーザの最後の携帯型電気エネルギー貯蔵装置の交換から経過した時間とに基づいて推定されてもよく、ユーザが、携帯型電気エネルギー貯蔵装置を返却しようとした後で収集充電分配装置によって検出されてもよい。
【００７２】
また、分配管理システム３０２は、充電済み電気エネルギー貯蔵装置の高い需要と頻繁な不足にあるか、充電済み電気エネルギー貯蔵装置の低い需要と頻繁な不足にある特定の区域で、新しい収集充電分配装置を設置するか又は従来の収集充電分配装置を取り外すプロセスを自動的に開始してもよい。例えば、区域Ｙ３０４内の収集充電分配装置３０８ａや収集充電分配装置３０８ｂなどの特定の区域内の全ての収集充電分配装置が、分配管理システム３０２によって決定されて、充電済み電気エネルギー貯蔵装置の不足が頻発する場合、分配管理システム３０２は、需要を満たすためにその区域（例えば、区域Ｙ）に新しい収集充電分配装置を設置するプロセスを自動的に開始してもよい。分配管理システム３０２は、例えば、１つ以上のサービスシステムに区域Ｙ３０４内の利用可能な場所に１つ以上の収集充電分配装置を設置させる電子指示を送ってもよい。充電済み携帯型電気エネルギー貯蔵装置の不足は、例えば、１つ以上の収集充電分配装置内のしきい値以下に低下した充電済み電気エネルギー貯蔵装置の在庫、１つ以上の収集充電分配装置でユーザによって試みられた充電済み携帯型電気エネルギー貯蔵装置の取得の量によって検出されてもよい。
【００７３】
しきい値は、充電済み電気エネルギー貯蔵装置の現在需要や予想需要と、１つ以上の収集充電分配装置における携帯型電気エネルギー貯蔵装置取得又は交換の数と、指定時間期間内の１つ以上の収集充電分配装置にある携帯型電気エネルギー貯蔵装置取得又は交換の数と、指定場所又は区域内の現在のユーザの量及び／又はユーザ車両の量と、指定場所又は区域内で現在動作しているユーザ車両の量と、現在の時間期間（例えば、時刻、月、年、休日など）と、ユーザの経路データと、収集充電分配装置の場所と、交通量の状態と、携帯型電気エネルギー貯蔵装置需要又は予想携帯型電気エネルギー貯蔵装置需要と関連した他の要因とを含むがこれらに限定されない様々な要因を基準にするか又はこれらの関数として決定されてもよい。
【００７４】
指定場所又は区域内の現在のユーザの量及び／又はユーザ車両の量、指定場所又は区域内で現在動作しているユーザ車両の量、及びユーザの経路データに関するデータは、個別ユーザの以前の収集充電分配装置の使用場所と、ユーザ車両のテレマティック及び遠隔測定システムと、全地球測位システム（ＧＰＳ）や衛星追跡システムなどのナビゲーション及び／又は位置決めサービスと、ユーザの移動通信装置３１３、現在の携帯型電気エネルギー貯蔵装置及び／又は車両（例えば、車両３１０ａ）と関連付けられかつ／又は動作可能に通信する以前の収集充電分配装置に基づく非天測位置推測法のうちの１つ又はこれらの任意の組み合わせによって追跡又は記憶されてもよい。このデータは、分配管理システム３０２に提供されて現在需要又は予想需要が決定され、その現在需要又は予測需要をより適切に満たすように電気エネルギー貯蔵装置が再分配されてもよい。幾つかの実施形態では、ユーザが、本明細書に記載された様々な認証手段を用いてそれぞれの収集充電分配装置におけるユーザアカウント及び本人検証によって自動的に示され検証される収集充電分配装置を使用するには、そのような追跡システムの１つ以上を提供と使用が必要なことがある。
【００７５】
分配管理システム３０２が、ユーザの履歴経路情報を使用して、充電済み電気エネルギー貯蔵装置の需要を予想し、これにより前述の充電済み携帯型電気エネルギー貯蔵装置の在庫しきい値を決定してもよい。例えば、車両３１０ａのユーザが、一週間の経路で１日目に収集充電分配装置３０８ａ、次に４日目に収集充電分配装置３０８ｂ、次に７日目に収集充電分配装置３０８ｄで停止し、その度に充電済み携帯型電気エネルギー貯蔵装置を取得していた場合、分配管理システム３０２は、将来も平均的に毎週、１日目に収集充電分配装置３０８ａ、４日目に収集充電分配装置３０８ｂ、７日目に収集充電分配装置３０８ｄで少なくとも１つの充電済み携帯型電気エネルギー貯蔵装置の需要があると予想することがある。分配管理システム３０２は、また、使用時間帯に関するユーザの使用履歴の規則性に基づいて、需要が起こる各日のおおよその時刻を予想してもよい。次に、分配管理システム３０２は、全ての既知のユーザが推定したそのようなデータを集計し、それにより、規則的使用パターンにしたがって各収集充電分配装置で必要になる可能性が高い充電済み電気エネルギー貯蔵装置の量を予想してもよい。
【００７６】
各収集充電分配装置で何度も行われる充電済み携帯型電気エネルギー貯蔵装置の取得又は取得の試みの数だけでなくユーザの規則的経路を追跡することによって、分配管理システム３０２は、ユーザの携帯型電気エネルギー貯蔵装置の現在の充電レベルを推定して、充電済み携帯型電気エネルギー貯蔵装置の将来の需要を予想してもよい。例えば、区域Ｙ３０４内の全てのユーザではなく、前述のような規則的使用と経路履歴を持つ車両３１０ａのユーザが、１日目に収集充電分配装置３０８ａを訪れたが、現在は７日目であり、ユーザが、別の収集充電分配装置を訪れていない場合、分配管理システム３０２は、推定のために、ユーザの携帯型電気エネルギー貯蔵装置がほぼ放電し、ユーザ区域（区域Ｙ３０４）内の充電済み電気エネルギー貯蔵装置の需要がすぐに生じると仮定することがある。前述のように、分配管理システム３０２は、全ての既知のユーザの全てのそのようなデータを集計して推定し、これにより、規則的使用パターンや他の要因にしたがって各収集充電分配装置で必要とされる可能性の高い充電済み電気エネルギー貯蔵装置の量を予想してもよい。
【００７７】
図４は、１つの非限定的に示された実施形態による、図３の分配管理システム３０２の概略図である。
【００７８】
分配管理システム３０２は、制御サブシステム４０２、充電サブシステム２０４、通信サブシステム４０６、及びユーザインタフェースサブシステム４０８を含む。
【００７９】
制御サブシステム４０２は、コントローラ４１０、例えば、マイクロプロセッサ、マイクロコントローラ、プログラマブルロジックコントローラ（ＰＬＣ）、プログラマブルゲートアレイ（ＰＧＡ）、特定用途向け集積回路（ＡＳＩＣ）、又は様々なセンサから信号を受け取り、論理演算を実行し、信号を様々な構成要素に送ることができる別のコントローラを含む。典型的には、コントローラ４１０は、マイクロプロセッサ（例えば、インテル、ＡＭＤ、ＡＴＯＭ）の形態をとってもよい。制御サブシステム４０２は、また、１つ以上の非一時的プロセッサ又はコンピュータ可読記憶媒体、例えば、読み出し専用メモリ（ＲＯＭ）４１２、ランダムアクセスメモリ（ＲＡＭ）４１４、データ記憶装置４１６（例えば、フラッシュメモリやＥＥＰＲＯＭなどの固体記憶媒体、ハードディスクなどの回転記憶媒体）を含んでもよい。非一時的プロセッサ又はコンピュータ可読記憶媒体４１２，４１４及び４１６は、コントローラ４１０の一部である任意の非一時的記憶媒体（例えば、レジスタ）に追加されてもよい。例えば、制御サブシステム４０２は、様々な構成要素を結合する１つ以上のバス４１８（１つだけを示した）、例えば１つ以上の電力バス、命令バス、データバスなどを含んでもよい。
【００８０】
図示されたように、ＲＯＭ４１２、又は非一時的プロセッサ又はコンピュータ可読記憶媒体４１２，４１４，４１６のうちの他の１つは、命令及び／又は、変数又はパラメータのデータ又は値を記憶する。データのセットは、様々な形態（例えば、ルックアップ表、データベース内の１組のレコードなど）を取ってもよい。命令と、データ又は値の組は、コントローラ４１０によって実行可能である。命令及びデータ又は値の組の実行によって、コントローラ４１０は、特定の操作を実行して、分配管理システム３０２に、収集充電分配装置（例えば、図１の収集充電分配装置１０２のような装置）間の携帯型電気エネルギー貯蔵装置１０６の分配と再分配を管理させる。分配管理システム３０２の特定の動作が、本明細書で様々な流れ図（図５〜図１３）を参照して以下に述べられる。
【００８１】
コントローラ４１０は、命令やデータなどを一時的に記憶するために、ＲＡＭ４１４を従来のように使用してもよい。コントローラ４１０は、例えば、データ記憶装置４１６を使用して、情報、例えば、複数の収集充電分配装置で行われる携帯型電気エネルギー貯蔵装置の取得と交換に関する情報、複数の収集充電分配装置にある携帯型電気エネルギー貯蔵装置のうちの充電済み携帯型電気エネルギー貯蔵装置の需要に関する情報、異なる時間帯、週又は年の間の充電済み携帯型電気エネルギー貯蔵装置の相対的需要に関する情報、地理的位置の間の充電済み携帯型電気エネルギー貯蔵装置の相対的需要に関する情報、複数の収集充電分配装置のうちの１つ以上の装置の履歴使用パターンに関する情報、ユーザ車両位置に関する情報とテレマティック及び／又は遠隔測定ユーザ車両情報、携帯型電気エネルギー貯蔵装置の充電容量に関する情報、充電済み携帯型電気エネルギー貯蔵装置のうちの１つ以上の装置のユーザの経路情報に関する情報、エネルギー貯蔵装置に関する情報、携帯型電力貯蔵装置１０６の収集充電分配及び／又は分配管理システム３０２自体の動作に関連した遠隔測定情報を記録又は保持してもよい。命令は、収集充電分配装置、収集充電分配装置サービスシステム、ユーザモバイル装置、ユーザ車両、及びエンドユーザ又はオペレータ入力などの遠隔システムからの入力に応じ、また変数又はパラメータのデータ又は値を使用して、分配管理システム３０２の動作を制御するためにコントローラ４１０によって実行可能である。
【００８２】
制御サブシステム４０２は、また、収集充電分配装置１０２の通信サブシステム２０６を介して、図１の収集充電分配装置１０２などの収集充電分配装置の様々なセンサ及び／又は構成要素から信号を受け取ってもよい。この情報は、そのような構成要素の動作、状況又は状態を特徴付けるか又は示す情報を含んでもよい。センサは、図２に、丸の中に適切な添付文字と共に示された文字Ｓによって表わされる。例えば、１つ以上の位置センサＳＰ１〜ＳＰＮは、収容器１０４のそれぞれの携帯型電力貯蔵装置１０６の有無を検出する。この情報は、制御サブシステム４０２に伝達されることがある。また、１つ以上の電荷センサＳＣ１〜ＳＣＮは、各収容器１０４の携帯型電力貯蔵装置１０６の充電レベル電荷を検出してもよい。この情報は、また、制御サブシステム４０２に伝達されてもよい。
【００８３】
通信サブシステム４０６は、図１の収集充電分配装置１１２などの収集充電分配装置の様々な構成要素、図３の収集充電分配装置３０８ａ、３０８ｂ、３０８ｃ及び３０８ｄの様々な構成要素、携帯型電気エネルギー貯蔵装置転送サービス３１２、及び１つ以上のユーザ移動通信装置３１３との通信を容易にする１つ以上の通信モジュール又は構成要素を含んでもよく、その結果、分配管理システム３０２、収集充電分配装置３０８ａ、３０８ｂ、３０８ｃ及び３０８ｄ、携帯型電気エネルギー貯蔵装置転送サービス３１２、及びユーザ移動通信装置３１３の間でデータが交換されてもよい。通信サブシステム４０６は、例えば、１つ以上のモデム４５２、１つ以上のイーサネット、又は他のタイプの通信カード又は構成要素４５４を含んでもよい。制御サブシステム４０２のポート４５６ａは、制御サブシステム４０２を通信サブシステム４０６のポート４５６ｂと通信で結合してもよい。通信サブシステム４０６は、有線及び／又は無線通信を提供してもよい。通信サブシステム４０６は、様々なリモート構成要素又はシステムへの無線信号経路を提供するために、１つ以上のポート、無線受信器、無線送信器又は無線トランシーバを含んでもよい。遠隔通信サブシステム４０６は、パケット交換型通信プロトコル（ＴＣＰ／ＩＰ）、イーサネット、又は他のネットワークプロトコルを含むネットワークトラフィックを処理するのに好適な１つ以上のブリッジ又はルータを含んでもよい。
【００８４】
ユーザインタフェースシステム４０８は、１つ以上のユーザ入力／出力（Ｉ／Ｏ）構成要素を含む（図示せず）。例えば、ユーザインタフェースシステム４０８は、情報とグラフィックユーザインタフェース（ＧＵＩ）をユーザに提示し、ユーザ選択の指示を受け取る働きをするタッチスクリーンディスプレイを備えてもよい。ユーザインタフェースシステム４０８は、ユーザがＧＵＩで情報を入力しかつ／又はユーザ選択可能アイコンを選択できるようにするキーボード又はキーパッド、及び／又はカーソルコントローラ（例えば、マウス、トラックボール、トラックパッド）を含んでもよい。
【００８５】
図５は、１つの非限定的に示された実施形態による、収集充電分配装置間で携帯型電気エネルギー貯蔵装置を再分配するために図３と図４の分配管理システム３０２を動作させる高レベルの方法５００を示す。
【００８６】
５０２で、分配管理システム３０２は、携帯型電気エネルギー貯蔵装置を収集、充電、分配するために、複数の収集充電分配装置で行われる携帯型電気エネルギー貯蔵装置交換に関する情報を受け取る。例えば、この情報は、個々の収集充電分配装置又は集合的に１組の収集充電分配装置における充電済み携帯型電気エネルギー貯蔵装置の現在需要を表すことがある。
【００８７】
５０４で、分配管理システム３０２は、携帯型電気エネルギー貯蔵装置の交換に関する情報を分析して、複数の収集充電分配装置間の携帯型電気エネルギー貯蔵装置の再分配を決定する。例えば、現在の実需要又は予測需要に応えるために、ある収集充電分配装置から別の収集充電分配装置に１つ以上の充電済み携帯型電気エネルギー貯蔵装置を迅速に再分配するか、新しい充電済み携帯型電気エネルギー貯蔵装置を収集充電分配装置のネットワークに導入するか、需要に応えるためにネットワーク内に新しい収集充電分配装置を導入して増えた要求在庫を処理することが有利なことがある。
【００８８】
５０６で、分配管理システム３０２は、複数の収集充電分配装置間の再分配を開始する情報を送る。
【００８９】
携帯型電気エネルギー貯蔵装置交換に関する情報は、複数の収集充電分配装置のうちの第１の装置が、複数の収集充電分配装置のうちの第２の装置より少ない充電済み携帯型電気エネルギー貯蔵装置の在庫を有することを示すことがある。再分配を開始する情報は、複数の収集充電分配装置のうちの第２の装置から複数の収集充電分配装置のうちの第１の装置への１つ以上の携帯型電気エネルギー貯蔵装置の再分配を開始するための情報を含んでもよい。
【００９０】
図６は、１つの非限定的に示された実施形態による、収集充電分配装置間で携帯型電気エネルギー貯蔵装置を再分配するために図３と図４の分配管理システム３０２を動作させる低レベルの方法６００を示し、この方法は、図５の方法に役立つ収集充電分配装置のうちの特定の１つ以上の装置を識別する情報を含むメッセージを送らせる工程を含む。
【００９１】
６０２で、分配管理システム３０２は、メッセージを送らせる。メッセージは、決定された再分配にしたがって携帯型電気エネルギー貯蔵装置を返却するために、収集充電分配装置のうちの特定の１つ以上の装置を識別する情報を含む。幾つかの実施形態では、メッセージは、携帯型電気エネルギー貯蔵装置を特定の１つ以上の収集充電分配装置に返却させるためのユーザへの交換可能なインセンティブを含む。
【００９２】
例えば、インセンティブは、ユーザが、特定の収集充電分配装置に携帯型電気エネルギー貯蔵装置を返却するときにユーザに提供されるクレジット、支払い、ポイント、クーポン、カード又はバウチャでよい。特定の収集充電分配装置は、携帯型電気エネルギー貯蔵装置の返却を、ユーザのアカウントにクレジットを提供するか又は分配管理システム又は別のバックエンドシステムに返却を通信するように構成された会計サブシステムに送ってもよい。その場合、分配管理システムは、ユーザのアカウントにクレジットを直接提供してもよく、ユーザのアカウントにクレジットを提供するバックエンド又はバックオフィスシステムの内部又は外部の別のバックエンドシステム（即ち、図１に示されたバックエンド又はバックオフィスシステム１２０）又は他の会計システムと通信してもよい。ユーザのアカウントは、バックエンド又はバックオフィスシステム、分配管理システム、ユーザの金融機関と関連付けられた任意のアカウント、又はユーザと関連付けられるか又は携帯型電気エネルギー貯蔵装置を購入又は賃貸しするために楽しみ又はクレジットが使用される任意のアカウントでよい。
【００９３】
クレジットは、金銭、ポイント、又は価値の任意の他の要素の形態でよい。例えば、クレジット、クーポン又はバウチャは、ユーザの現在の携帯型電気エネルギー貯蔵装置が特定の収集充電分配装置に返却されたら直ぐに収集充電分配装置によってユーザに提供されることがある高価値、新規又は高性能の携帯型電気エネルギー貯蔵装置のためのものでよい。また、収集充電分配装置は、アップグレードされた携帯型電気エネルギー貯蔵装置のための１つ以上の他の収集充電分配装置で交換可能な印刷又は電子クーポン、カード又はバウチャを提供してもよい。印刷又は電子クーポン、カード、又はバウチャは、クーポン又はバウチャーに関する価値や他の関連データを決定するために、収集充電分配装置のスキャナが読み取る１つ以上の装置可読記号を有してもよい。また、インセンティブは、そのような情報を記憶するために機械可読記号、ストリップ、ＲＦＩＤ又は他のチップを有する、ユーザと関連付けられたカード上のクレジットとして記憶されてもよい。
【００９４】
図７は、図５の方法に役立ち、電気エネルギー貯蔵装置を再分配する命令を含むメッセージを送らせる工程を含む、１つの非限定的に示された実施形態による、収集充電分配装置間で携帯型電気エネルギー貯蔵装置を再分配するために図３と図４の分配管理システム３０２を動作させる低レベルの方法７００を示す。
【００９５】
７０２で、分配管理システム３０２は、充電済み携帯型電気エネルギー貯蔵装置の余剰を有する１つ以上の収集充電分配装置から、充電済み携帯型電気エネルギー貯蔵装置の不足を有する１つ以上の他の特定の収集充電分配装置へ、１つ以上の携帯型電気エネルギー貯蔵装置を再分配する命令を含むメッセージを送らせる。
【００９６】
図８は、図５の方法に役立つ、携帯型電気エネルギー貯蔵装置を再分配する工程を含む、１つの非限定的に示された実施形態による、収集充電分配装置間で携帯型電気エネルギー貯蔵装置を再分配するために図３と図４の分配管理システム３０２を動作させる低レベルの方法８００を示す。
【００９７】
８０２で、分配管理システム３０２は、１つ以上の携帯型電気エネルギー貯蔵装置を、充電済み携帯型電気エネルギー貯蔵装置の余剰を有する１つ以上の収集充電分配装置から、充電済み携帯型電気エネルギー貯蔵装置の不足を有する１つ以上の他の特定の収集充電分配装置に再分配する。例えば、これは、１つ以上の携帯型電気エネルギー貯蔵装置転送サービスによるものでもよく、携帯型電気エネルギー貯蔵装置のユーザが、携帯型電気エネルギー貯蔵装置を、分配管理システム３０２によって選択された場所に返却することによるものでもよい。
【００９８】
図９は、図５の方法に役立つ、収集充電分配装置の着脱に関する情報を送る工程を含む、１つの非限定的に示された実施形態による、収集充電分配装置間で携帯型電気エネルギー貯蔵装置を再分配するために図３と図４の分配管理システム３０２を動作させる低レベルの方法９００を示す。
【００９９】
９０２で、分配管理システム３０２は、携帯型電気エネルギー貯蔵装置交換に関する情報の分析に基づいて、複数の収集充電分配装置のうちの１つ以上の新しい収集充電分配装置の導入と、１つ以上の既存の収集充電分配装置の取り外しの少なくとも一方を開始する情報を送る。
【０１００】
図１０は、充電済み携帯型電気エネルギー貯蔵装置の需要に関する受信情報に基づいて再分配を決定する工程を含む、１つの非限定的に示された実施形態による、収集充電分配装置間で携帯型電気エネルギー貯蔵装置を再分配するために図３と図４の分配管理システム３０２を動作させる高レベルの方法１０００を示す。
【０１０１】
１００２で、分配管理システム３０２は、携帯型電気エネルギー貯蔵装置用の複数の収集充電分配装置における、充電済み携帯型電気エネルギー貯蔵装置の需要に関する情報を受け取る。
【０１０２】
１００４で、分配管理システム３０２は、少なくとも需要に関する受信情報にしたがって、複数の収集充電分配装置間の携帯型電気エネルギー貯蔵装置の再分配を決定する。
【０１０３】
１００６で、分配管理システム３０２は、複数の収集充電分配装置間の再分配を開始する情報を送る。
【０１０４】
図１１は、図１０の方法に役立つ、収集充電分配装置での急速充電シナリオにしたがって再分配を決定することを含む、１つの非限定的に示された実施形態による、収集充電分配装置間で携帯型電気エネルギー貯蔵装置を再分配するために図３と図４の分配管理システム３０２を動作させる低レベルの方法１１００を示す。
【０１０５】
１１０２で、分配管理システム３０２は、少なくとも第２の数の携帯型電気エネルギー貯蔵装置から供給されたエネルギーによって、収集充電分配装置に現在取り外し可能に配置されている少なくとも第２の数の携帯型電気エネルギー貯蔵装置に対して急速充電される、複数の収集充電分配装置のうちの１つの収集充電分配装置に現在取り外し可能に配置されている第１の数の携帯型電気エネルギー貯蔵装置にしたがって再分配を決定する。
【０１０６】
例えば、第１の数の携帯型電気エネルギー貯蔵装置が、現在、第２の数の携帯型電気エネルギー貯蔵装置からエネルギーを使用している場合、分配管理システム３０２は、そのような携帯型電気エネルギー貯蔵装置を収容する収集充電分配装置が、その特定の収集充電分配装置での急速充電と一般ユーザ需要を支援するために、その特定の収集充電分配装置にあるより多く充電された携帯型電気エネルギー貯蔵装置を必要とすることがあることを決定してもよい。次に、それに応じて、システム３００における収集充電分配装置間の電気エネルギー貯蔵装置の分配が、分配管理システム３０２によって調整されてもよい。
【０１０７】
図１２は、図１０の方法に役立つ、特定の装置にある充電済み携帯型電気エネルギー貯蔵装置の使用可能性を高めるために需要に関する情報を分析する工程を含む、１つの非限定的に示された実施形態による、収集充電分配装置間で携帯型電気エネルギー貯蔵装置を再分配するために図３と図４の分配管理システム３０２を動作させる低レベルの方法１２００を示す。
【０１０８】
１２０２で、分配管理システム３０２は、需要に関する情報を分析して、複数の収集充電分配装置のうちの特定の収集充電分配装置の充電済み携帯型電気エネルギー貯蔵装置の使用可能性を高める。この分析は、複数の収集充電分配装置のうちの特定の収集充電分配装置にある充電済み携帯型電気エネルギー貯蔵装置の現在需要又は予測需要に対応するために行われる。
【０１０９】
図１３は、図１０の方法に役立つ、１つ以上の携帯型電気エネルギー貯蔵装置転送サービスに需要に関する情報を送る工程を含む、１つの非限定的に示された実施形態による、収集充電分配装置間で携帯型電気エネルギー貯蔵装置を再分配するために図３と図４の分配管理システム３０２を動作させる低レベルの方法１３００を示す。
【０１１０】
１３０２で、分配管理システム３０２は、需要に関する情報を１つ以上の携帯型電気エネルギー貯蔵装置転送サービスに送る。例えば、分配管理システム３０２は、自動的に、再分配を物理的に実行する命令を転送サービス３１２（図３に示された）に自動的に送ってもよく、追加の充電済み電気エネルギー貯蔵装置をシステム３００内の収集充電分配装置のネットワークに入れてもよい（図３に示した）。
【０１１１】
図１４は、１つの非限定的に示された実施形態による、収集充電分配装置間で携帯型電気エネルギー貯蔵装置を再分配するために図１の収集充電分配装置１０２を動作させる高レベルな方法１４００を示す。
【０１１２】
１４０２で、収集充電分配装置１０２は、収集充電分配装置（複数のそのような収集充電分配装置のうちの１つ）で行われる携帯型電気エネルギー貯蔵装置交換に関する情報を送る。
【０１１３】
１４０４で、収集充電分配装置１０２は、複数の収集充電分配装置のうちの収集充電分配装置と１つ以上の他の収集充電分配装置との間の携帯型電気エネルギー貯蔵装置の再分配に関する情報を取得する。
【０１１４】
１４０６で、収集充電分配装置１０２は、収集充電分配装置で携帯型電気エネルギー貯蔵装置を交換する要求をユーザから受け取る。
【０１１５】
１４０８で、収集充電分配装置１０２は、要求に応えて、携帯型電気エネルギー貯蔵装置再分配に関する受け取った情報に基づいて携帯型電気エネルギー貯蔵装置を交換する。
【０１１６】
図１５は、図１４の方法に役立つ、携帯型電気エネルギー貯蔵装置交換に関する情報を分配管理システム３０２（図３と図４に示した）に送ることを含む、１つの非限定的に示された実施形態による、収集充電分配装置間で携帯型電気エネルギー貯蔵装置を再分配するために図１の収集充電分配装置１０２を動作させる低レベルの方法１５００を示す。
【０１１７】
１５０２で、収集充電分配装置１０２は、携帯型電気エネルギー貯蔵装置交換に関する情報を分配管理システム３０２に送る。例えば、この情報は、分配管理システム３０２に送られ、その結果、分配管理システム３０２は、収集充電分配装置１０２における使用データを追跡し、それに応じて、需要、及び収集充電分配装置間の携帯型電気エネルギー貯蔵装置の分配と再分配を決定することができる。
【０１１８】
図１６は、図１４の方法に役立つ、１つ以上の他の選択された装置における携帯型電気エネルギー貯蔵装置の交換に関するメッセージをユーザに提示することによって、１つの非限定的に示された実施形態による、収集充電分配装置間で携帯型電気エネルギー貯蔵装置を再分配するために図１の収集充電分配装置１０２を動作させる低レベルの方法１６００を示す。
【０１１９】
１６０２で、収集充電分配装置１０２は、携帯型電気エネルギー貯蔵装置の再分配に関する受信情報にしたがって複数の収集充電分配装置のうちの１つ以上の他の特定の収集充電分配装置における携帯型電気エネルギー貯蔵装置の交換に関するメッセージをユーザに提示させる。例えば、このメッセージ提示は、図１に示されたそのようなバックエンド又はバックオフィスのシステム１２０のような分配管理システム３０２又は他のバックエンド中央制御システムによって収集充電分配装置１０２に提供された命令にしたがって行われてもよい。あるいは、収集充電分配装置１０２は、このメッセージを、電気エネルギー貯蔵装置の再分配が他の収集充電分配装置から受け取った現在需要及び情報に基づいて行われなければならないという収集充電分配装置１０２によってなされた決定に基づいて提示してもよい。幾つかの例では、メッセージは、携帯型電気エネルギー貯蔵装置を１つ以上の別の特定の収集充電分配装置に返却するためにユーザの交換可能なインセンティブを含む。
【０１２０】
本明細書で述べた様々な方法は、追加の行為を含んでもよく、幾つかの行為を省略してもよく、かつ／又は様々な流れ図に示されたものと異なる順序で行為を実行してもよい。
【０１２１】
以上の詳細な説明は、ブロック図、概略図及び実施例を使用して装置及び／又はプロセスの様々な実施形態を示した。そのようなブロック図、概略図及び実施例が、１つ以上の機能及び／又は動作を含む限り、そのようなブロック図、フローチャート又は実施例内の各機能及び／又は動作は、個別かつ／又は集合的に、広範囲のハードウェア、ソフトウェア、ファームウェア又はこれらの事実上任意の組み合わせによって実施できることは、当業者によって理解されるであろう。一実施形態では、この内容は、１つ以上のマイクロコントローラによって実現されてもよい。しかしながら、当業者は、本明細書で開示される実施形態が、全体的又は部分的に、標準集積回路（例えば、特定用途向け集積回路、即ちＡＳＩＣ）内で１つ以上のコンピュータによって実行される１つ以上のプログラム（例えば、１つ以上のコンピュータシステム上で動作する１つ以上のプログラムとして）、１つ以上のプロセッサによって実行される１つ以上のプログラムとして１つ以上のコントローラ（例えば、マイクロプロセッサ）によって実行された１つ以上のコンピュータプログラムとして、ファームウェアとして、又はこれらの事実上任意の組み合わせとして等しく実施することができ、回路の設計及び／又はソフトウェア及び／又はファームウェアのコードの記述が、この開示の教示に照らして当該技術の十分に範囲内にあることを理解するであろう。
【０１２２】
ロジックが、ソフトウェアとして実施され、メモリに記憶されたとき、ロジック又は情報は、任意のプロセッサ関連システム又は方法によって使用するかそれらと関連した任意の非一時的コンピュータ可読媒体上に記憶することできる。この開示の文脈では、メモリは、コンピュータ及び／又はプロセッサプログラムを非一時的に含むか又は記憶する電子的、磁気的、光学的、又は他の物理装置若しくは手段である非一時的コンピュータ及び／又はプロセッサ可読記憶媒体である。ロジック及び／又は情報は、命令実行システム、機器又は装置から命令をフェッチし、ロジック及び／又は情報と関連した命令を実行することができるコンピュータシステム、プロセッサ内蔵システム、他のシステムなどの、命令実行システム、機器又は装置によって又はそれらと関連して使用される任意のコンピュータ可読媒体で実施することができる。
【０１２３】
本明細書の文脈では、「コンピュータ可読媒体」は、命令実行システム、機器及び／又は装置によって又はそれらと関連して使用するためのロジック及び／又は情報と関連付けられたプログラムを記憶することができる任意の物理要素でよい。コンピュータ可読媒体には、例えば、電子、磁気、光、電磁気、赤外線、又は半導体システム、機器又は装置を挙げることができるがこれらに限定されない。コンピュータ可読媒体のより特定の例（非限定的リスト）には、ポータブルコンピュータディスケット（磁気、コンパクトフラッシュカード、セキュアデジタルなど）、ランダムアクセスメモリ（ＲＡＭ）、読み出し専用メモリ（ＲＯＭ）、消去可能プログラマブル読み出し専用メモリ（ＥＰＲＯＭ、ＥＥＰＲＯＭ又はＦｌａｓｈメモリ）、携帯型コンパクトディスク読み出し専用メモリ（ＣＤＲＯＭ）、及びデジタルテープが挙げられる。
【０１２４】
以上述べた様々な実施形態を組み合わせて、更に他の実施形態を提供することができる。本明細書における特定の教示及び定義と矛盾しない限り、本明細書で参照されかつ／又はアプリケーションデータシートに列挙された全ての米国特許、米国特許出願公報、米国特許出願、外国特許、外国特許出願及び非特許文献は、「ＡＰＰＡＲＡＴＵＳ，ＭＥＴＨＯＤ  ＡＮＤ  ＡＲＴＩＣＬＥ  ＦＯＲ  ＣＯＬＬＥＣＴＩＯＮ、ＣＨＡＲＧＩＮＧ  ＡＮＤ  ＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ」と題する米国仮特許出願第６１／５１１，９００号（代理人整理番号１７０１７８．４０１Ｐ１）、「ＡＰＰＡＲＡＴＵＳ，ＭＥＴＨＯＤ  ＡＮＤ  ＡＲＴＩＣＬＥ  ＦＯＲ  ＣＯＬＬＥＣＴＩＯＮ、ＣＨＡＲＧＩＮＧ  ＡＮＤ  ＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ」と題し２０１２年５月１６日に出願された米国仮特許出願第６１／６４７，９３６（代理人整理番号１７０１７８．４０１Ｐ２）、「ＡＰＰＡＲＡＴＵＳ、ＭＥＴＨＯＤ  ＡＮＤ  ＡＲＴＩＣＬＥ  ＦＯＲ  ＣＯＬＬＥＣＴＩＯＮ、ＣＨＡＲＧＩＮＧ  ＡＮＤ  ＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ」と題し２０１２年５月１６日に出願された米国仮特許出願第６１／６４７，９３６（代理人整理番号１７０１７８．４０１Ｐ２）、「ＡＰＰＡＲＡＴＵＳ」、ＭＥＴＨＯＤ  ＡＮＤ  ＡＲＴＩＣＬＥ  ＦＯＲ  ＲＥＤＩＳＴＲＩＢＵＴＩＮＧ  ＰＯＷＥＲ  ＳＴＯＲＡＧＥ  ＤＥＶＩＣＥＳ、ＳＵＣＨ  ＡＳ  ＢＡＴＴＥＲＩＥＳ、ＢＥＴＷＥＥＮ  ＣＯＬＬＥＣＴＩＯＮ、ＣＨＡＲＧＩＮＧ  ＡＮＤ  ＤＩＳＴＲＩＢＵＴＩＯＮ  ＭＡＣＨＩＮＥＳ」と題し２０１１年９月１４日に出願された米国仮特許出願第６１／５３４，７５３３５号（代理人整理番号１７０１７８．４０３Ｐ１）、「ＡＰＰＡＲＡＴＵＳ，ＭＥＴＨＯＤ  ＡＮＤ  ＡＲＴＩＣＬＥ  ＦＯＲ  ＡＵＴＨＥＮＴＩＣＡＴＩＯＮ、ＳＥＣＵＲＩＴＹ  ＡＮＤ  ＣＯＮＴＲＯＬ  ＯＦ  ＰＯＷＥＲ  ＳＴＯＲＡＧＥ  ＤＥＶＩＣＥＳ，ＳＵＣＨ  ＡＳ  ＢＡＴＴＥＲＩＥＳ、ＢＡＳＥＤ  ＯＮ  ＵＳＥＲ  ＰＲＯＦＩＬＥＳ」と題し２０１１年９月１４日に出願された米国仮特許出願第６１／５３４，７７２号（代理人整理番号１７０１７８．４０４Ｐ１）、「ＴＨＥＲＭＡＬ  ＭＡＮＡＧＥＭＥＮＴ  ＯＦ  ＣＯＭＰＯＮＥＮＴＳ  ＩＮ  ＥＬＥＣＴＲＩＣ  ＭＯＴＯＲ  ＤＲＩＶＥ  ＶＥＨＩＣＬＥＳ」と題し２０１１年７月２６日に出願された米国仮特許出願第６１／５１１，８８７号（代理人整理番号１７０１７８．４０６Ｐ１）、「ＴＨＥＲＭＡＬ  ＭＡＮＡＧＥＭＥＮＴ  ＯＦ  ＣＯＭＰＯＮＥＮＴＳ  ＩＮ  ＥＬＥＣＴＲＩＣ  ＭＯＴＯＲ  ＤＲＩＶＥ  ＶＥＨＩＣＬＥＳ」と題し２０１２年５月１６日に出願された米国仮特許出願第６１／６４７，９４１号（代理人整理番号１７０１７８．４０６Ｐ２）、「ＤＹＮＡＭＩＣＡＬＬＹ  ＬＩＭＩＴＩＮＧ  ＶＥＨＩＣＬＥ  ＯＰＥＲＡＴＩＯＮ  ＦＯＲ  ＢＥＳＴ  ＥＦＦＯＲＴ  ＥＣＯＮＯＭＹ」と題し２０１１年７月２６日に出願された米国仮特許出願第６１／５１１，８８０号（代理人整理番号１７０１７８．４０７Ｐ１）、「ＡＰＰＡＲＡＴＵＳ、ＭＥＴＨＯＤ，ＡＮＤ  ＡＲＴＩＣＬＥ  ＦＯＲ  ＰＨＹＳＩＣＡＬ  ＳＥＣＵＲＩＴＹ  ＯＦ  ＰＯＷＥＲ  ＳＴＯＲＡＧＥ，ＤＥＶＩＣＥＳ  ＩＮ  ＶＥＨＩＣＬＥＳ」と題し２０１１年１１月８日に出願された米国仮特許出願第６１／５５７，１７０号（代理人整理番号１７０１７８．４０８Ｐ１）、「ＡＰＰＡＲＡＴＵＳ，ＭＥＴＨＯＤ  ＡＮＤ  ＡＲＴＩＣＬＥ  ＦＯＲ  Ａ  ＰＯＷＥＲ  ＳＴＯＲＡＧＥ  ＤＥＶＩＣＥ，ＣＯＭＰＡＲＴＭＥＮＴ」と題し２０１１年１２月２９日に出願された米国仮特許出願第６１／５８１，５６６号（代理人整理番号１７０１７８．４１２Ｐ１）、「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＶＥＨＩＣＬＥ  ＤＩＡＧＮＯＳＴＩＣ  ＤＡＴＡ」と題し２０１２年２月２１日に出願された米国仮特許出願第６１／６０１，４０４号（代理人整理番号１７０１７８．４１７Ｐ１）、「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＬＯＣＡＴＩＯＮＳ  ＯＦ  ＰＯＷＥＲ，ＳＴＯＲＡＧＥ  ＤＥＶＩＣＥ  ＣＯＬＬＥＣＴＩＯＮ，ＣＨＡＲＧＩＮＧ  ＡＮＤ  ＤＩＳＴＲＩＢＵＴＩＯＮ  ＭＡＣＨＩＮＥＳ」と題し２０１２年２月２２日に出願された米国仮特許出願第６１／６０１，９４９号（代理人整理番号１７０１７８．４１８Ｐ１）、及び「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＩＮＦＯＲＭＡＴＩＯＮ  ＲＥＧＡＲＤＩＮＧ  ＡＶＡＩＬＡＢＩＬＩＴＹ、ＯＦ  ＰＯＷＥＲ  ＳＴＯＲＡＧＥ  ＤＥＶＩＣＥＳ  ＡＴ  Ａ  ＰＯＷＥＲ  ＳＴＯＲＡＧＥ、ＤＥＶＩＣＥ  ＣＯＬＬＥＣＴＩＯＮ，ＣＨＡＲＧＩＮＧ  ＡＮＤ  ＤＩＳＴＲＩＢＵＴＩＯＮ  ＭＡＣＨＩＮＥ」と題し２０１２年２月２２日に出願された米国仮特許出願第６１／６０１，９５３号（代理人整理番号１７０１７８．４１９Ｐ）、２０１２年７月２６日に出願され、発明者としてＨｏｋ−Ｓｕｍ  Ｈｏｒａｃｅ  Ｌｕｋｅ，Ｍａｔｔｈｅｗ  Ｗｈｉｔｉｎｇ  Ｔａｙｌｏｒ及びＨｕａｎｇ−Ｃｈｅｎｇ  Ｈｕｎｇを指定した「ＡＰＰＡＲＡＴＵＳ，ＭＥＴＨＯＤ  ＡＮＤ  ＡＲＴＩＣＬＥ  ＦＯＲ  ＣＯＬＬＥＣＴＩＯＮ，ＣＨＡＲＧＩＮＧ  ＡＮＤ  ＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ」と題する米国特許出願第＿＿＿＿＿＿号（代理人整理番号１７０１７８．４０１）、２０１２年７月２６日に出願され、発明者としてＨｏｋ−Ｓｕｍ  Ｈｏｒａｃｅ  Ｌｕｋｅ及びＭａｔｔｈｅｗ  Ｗｈｉｔｉｎｇ  Ｔａｙｌｏｒを指定し、「ＡＰＰＡＲＡＴＵＳ、ＭＥＴＨＯＤ  ＡＮＤ  ＡＲＴＩＣＬＥ  ＦＯＲ  ＡＵＴＨＥＮＴＩＣＡＴＩＯＮ、ＳＥＣＵＲＩＴＹ  ＡＮＤ  ＣＯＮＴＲＯＬ  ＯＦ  ＰＯＷＥＲ  ＳＴＯＲＡＧＥ  ＤＥＶＩＣＥＳ  ＳＵＣＨ  ＡＳ  ＢＡＴＴＥＲＩＥＳ」と題する米国出願第＿＿＿＿＿＿＿＿＿号（代理人整理番号１７０１７８．４０３）、２０１２年７月２６日に出願され、発明者としてＨｏｋ−Ｓｕｍ  Ｈｏｒａｃｅ  ＬｕｋｅとＭａｔｔｈｅｗ  Ｗｈｉｔｉｎｇ  Ｔａｙｌｏｒを指定し、「ＤＹＮＡＭＩＣＡＬＬＹ  Ｌ���ＭＩＴＩＮＧ  ＶＥＨＩＣＬＥ  ＯＰＥＲＡＴＩＯＮ  ＦＯＲ  ＢＥＳＴ  ＥＦＦＯＲＴ  ＥＣＯＮＯＭＹ」と題する米国出願番号＿＿＿＿＿＿＿号（代理人整理番号１７０１７８．４０７）、２０１２年７月２６日に出願され、発明者としてＭａｔｔｈｅｗ  Ｗｈｉｔｉｎｇ  Ｔａｙｌｏｒ，Ｙｉ−Ｔｓｕｎｇ  Ｗｕ，Ｈｏｋ−Ｓｕｍ  Ｈｏｒａｃｅ  Ｌｕｋｅ及びＨｕａｎｇ−Ｃｈｅｎｇ  Ｈｕｎｇを指定し、「ＡＰＰＡＲＡＴＵＳ、ＭＥＴＨＯＤ、ＡＮＤ  ＡＲＴＩＣＬＥ  ＦＯＲ  ＰＨＹＳＩＣＡＬ  ＳＥＣＵＲＩＴＹ  ＯＦ  ＰＯＷＥＲ  ＳＴＯＲＡＧＥ、ＤＥＶＩＣＥＳ  ＩＮ  ＶＥＨＩＣＬＥＳ」と題する米国出願第＿＿＿＿＿＿＿＿＿号（代理人整理番号１７０１７８．４０８）、２０１２年７月２６日に出願され、発明者としてＣｈｉｎｇ  Ｃｈｅｎ，Ｈｏｋ−Ｓｕｍ  Ｈｏｒａｃｅ  Ｌｕｋｅ，Ｍａｔｔｈｅｗ  Ｗｈｉｔｉｎｇ  Ｔａｙｌｏｒ，Ｙｉ−Ｔｓｕｎｇ  Ｗｕを指定し、「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＶＥＨＩＣＬＥ  ＤＩＡＧＮＯＳＴＩＣ  ＤＡＴＡ」と題する米国出願第＿＿＿＿＿＿号（代理人整理番号１７０１７８．４１７）、２０１２年７月２６日に出願され、発明者としてＹｉ−Ｔｓｕｎｇ  Ｗｕ，Ｍａｔｔｈｅｗ  Ｗｈｉｔｉｎｇ  Ｔａｙｌｏｒ，Ｈｏｋ−Ｓｕｍ  Ｈｏｒａｃｅ  Ｌｕｋｅ及びＪｕｎｇ−Ｈｓｉｕ  Ｃｈｅｎを指定し、「ＡＰＰＡＲＡＴＵＳ、ＭＥＴＨＯＤ  ＡＮＤ  ＡＲＴＩＣＬＥ  ＦＯＲ  ＰＲＯＶＩＤＩＮＧ  ＩＮＦＯＲＭＡＴＩＯＮ  ＲＥＧＡＲＤＩＮＧ  ＡＶＡＩＬＡＢＩＬＩＴＹ、ＯＦ  ＰＯＷＥＲ  ＳＴＯＲＡＧＥ  ＤＥＶＩＣＥＳ  ＡＴ  Ａ  ＰＯＷＥＲ  ＳＴＯＲＡＧＥ、ＤＥＶＩＣＥ  ＣＯＬＬＥＣＴＩＯＮ、ＣＨＡＲＧＩＮＧ  ＡＮＤ  ＤＩＳＴＲＩＢＵＴＩＯＮ  ＭＡＣＨＩＮＥ」と題する米国出願第＿＿＿＿＿＿＿＿号（代理人整理番号１７０１７８．４１９）、及び２０１２年７月２６日に出願され、発明者としてＨｏｋ−Ｓｕｍ  Ｈｏｒａｃｅ  Ｌｕｋｅ，Ｙｉ−Ｔｓｕｎｇ  Ｗｕ，Ｊｕｎｇ−Ｈｓｉｕ  Ｃｈｅｎ，Ｙｕｌｉｎ  Ｗｕ，Ｃｈｉｅｎ  Ｍｉｎｇ  Ｈｕａｎｇ，ＴｓｕｎｇＴｉｎｇ  Ｃｈａｎ，Ｓｈｅｎ−Ｃｈｉ  Ｃｈｅｎ及びＦｅｎｇ  Ｋａｉ  Ｙａｎｇを指定し、「ＡＰＰＡＲＡＴＵＳ、ＭＥＴＨＯＤ  ＡＮＤ  ＡＲＴＩＣＬＥ  ＦＯＲ  ＲＥＳＥＲＶＩＮＧ  ＰＯＷＥＲ  ＳＴＯＲＡＧＥ  ＤＥＶＩＣＥＳ、ＡＴ  ＲＥＳＥＲＶＩＮＧ  ＰＯＷＥＲ  ＳＴＯＲＡＧＥ  ＤＥＶＩＣＥ  ＣＯＬＬＥＣＴＩＯＮ、ＣＨＡＲＧＩＮＧ  ＡＮＤ  ＤＩＳＴＲＩＢＵＴＩＯＮ  ＭＡＣＨＩＮＥＳ」と題する米国出願第＿＿＿＿＿＿＿号（代理人整理番号１７０１７８．４２３）を限定なしに含み、参照により全体が本明細書に組み込まれる。実施形態の態様は、必要に応じて、更に他の実施形態を提供するために様々な特許、出願及び出版物のシステム、回路及び概念を使用するように改良されてもよい。
【０１２５】
全電気スクータ及び／又はモーターバイクなどの個人用運搬車両と共に使用するための携帯型電気エネルギー貯蔵装置を収集、充電、分配する環境と文脈で概略的に述べてきたが、本明細書の教示が、他の車両並びに非車両環境を含む種々様々な他の環境にも適用される。
【０１２６】
要約に示したものを含む図示された実施形態の以上の説明は、網羅的でもなく、実施形態を開示した厳密な形態に制限するものでもない。特定の実施形態及び例は、説明のために本明細書に記載され、当業者によって理解されるように、開示の趣旨及び範囲から逸脱せず様々な等価な改良を行うことができる。
【０１２７】
以上その他の変更は、以上詳述した説明を考慮して実施形態に行なうことができる。一般に、以下の特許請求の範囲において、使用される用語は、特許請求の範囲を明細書に開示された特定の実施形態と特許請求の範囲に限定するように解釈されるべきでないだけなく、そのような特許請求の範囲が与える等価物の全範囲と共に全ての可能な実施形態を含むように解釈されるべきである。したがって、特許請求の範囲は、この開示によって限定されない。
【図１】
2014527689.tif 000003
【図２】
2014527689.tif 000004
【図３】
2014527689.tif 000005
【図４】
2014527689.tif 000006
【図５】
2014527689.tif 000007
【図６】
2014527689.tif 000008
【図７】
2014527689.tif 000009
【図８】
2014527689.tif 000010
【図９】
2014527689.tif 000011
【図１０】
2014527689.tif 000012
【図１１】
2014527689.tif 000013
【図１２】
2014527689.tif 000014
【図１３】
2014527689.tif 000015
【図１４】
2014527689.tif 000016
【図１５】
2014527689.tif 000017
【図１６】
2014527689.tif 000018
【国際調査報告】
2014527689.tif 000019
2014527689.tif 000020